(57)【特許請求の範囲】
【請求項１】
移動無線電気通信網（ＰＬＭＮ）の第一の端末局（ＴＥ，ＭＴ；ＧＰＲＳ−ＭＳ）とパケットデータ通信網（ＰＤＮ１，ＰＤＮ２，ＩＮ）の第二の端末局（ＰＴＥ）との間のデータ通信のための方法であって、
ａ）複数のパケットデータ通信網（ＰＤＮ１，ＰＤＮ２，ＩＮ）が接続された前記移動無線電気通信網（ＰＬＭＮ）の交換装置（ＧＳＮ，ＳＧＳＮ，ＧＧＳＮ，ＰＬＭＮ−ＳＷ）が、所定のパケットデータ通信網（ＰＤＮ１，ＰＤＮ２，ＩＮ）を表示する網表示パラメータ（ＮＩＰ，ＰＤＰ−ｔｙｐｅ（＜−＞ＡＳ）を、前記第一の端末局から受けるステップ（ＮＲＭ，ＳＥＬ，ＳＴ１，Ｓ１１）と、
ｂ）前記網表示パラメータ（ＮＩＰ）によって表示されるパケットデータ通信網にアクセスする前記交換装置（ＰＬＭＮ−ＳＷ）内のアクセス手段（ＧＧＳＮ／ＡＳ）を選択するステップ（ＳＥＬ，ＳＴ３，Ｓ１１’，Ｓ３１）と、
ｃ）前記表示されたパケットデータ通信網（ＰＤＮ１，ＰＤＮ２，ＩＮ）の交換装置（ＰＤＮ−ＳＷ）にアクセスするために前記の選択されたアクセス手段（ＡＳ）を起動するステップ（ＡＣ，ＳＴ４，Ｓ３１’）と
を有することを特徴とする方法。
【請求項２】
請求項１の方法であって、
前記網表示パラメータ（ＮＩＰ）の受信後に、前記網表示パラメータ（ＮＩＰ）は加入パラメータ（ＳＰ）と比較され（ＳＧＳＮ，ＳＣＭ，ＳＴＭ）、前記アクセス手段（ＧＧＳＮ／ＡＳ）の起動が行われるのは、前記の受信された網表示パラメータ（ＮＩＰ）が前記加入パラメータ（ＳＰ）の一つと合致したときだけである
ことを特徴とする方法。
【請求項３】
請求項１の方法であって、
前記アクセス手段（ＡＳ）が起動された後、前記移動無線電気通信網（ＰＬＭＮ）の前記交換装置（ＰＬＭＮ−ＳＷ）と前記の選択されたパケットデータ通信網（ＰＤＮ）の前記交換装置（ＰＤＮ−ＳＷ）とを通して通信リンク設定手段（ＴＵＮ−ＬＫ）により前記第一と前記第二の端末局（ＧＰＲＳ−ＭＳ；ＰＴＥ）との間の通信リンク（Ｐ１，Ｐ２，Ｐ３，ＩＰ−ＴＵＮ）が設定される（ＳＴ４，ＳＴ５，Ｓ３１’）
ことを特徴とする方法。
【請求項４】
請求項３の方法であって、
前記移動無線電気通信網（ＰＬＭＮ）の前記第一の端末局（ＧＰＲＳ−ＭＳ）が前記パケットデータ通信網（ＰＤＮ１，ＰＤＮ２，ＩＮ）の前記交換装置（ＰＤＮ−ＳＷ）に識別パラメータ（ＤＨＣＰ−ｉｄ）を送り、前記パケットデータ通信網（ＩＮ）の前記交換装置（ＰＤＮ−ＳＷ）に設けられた確認手段（ＩＤ−ＶＡＬ）が前記の受信された識別パラメータ（ＤＨＣＰ−ｉｄ）と前記交換手段（ＰＤＮ−ＳＷ）に設けられた識別メモリ手段（ＩＤ−ＭＥＭ）に記憶された複数の識別パラメータ（ＤＨＣＰ−ｉｄ）の一つとが合致すると判定したときだけ、前記通信リンク設定手段（ＴＵＮ−ＬＫ）が通信リンクを設定する（ＳＴ４，ＳＴ５，Ｓ３１’）
ことを特徴とする方法。
【請求項５】
請求項４の方法であって、
前記移動無線電気通信網（ＰＬＭＮ）の前記交換装置（ＰＬＭＮ−ＳＷ）と前記パケットデータ通信網（ＰＤＮ１，ＰＤＮ２，ＩＮ）の前記交換装置（ＰＤＮ−ＳＷ）のアクセス手段（ＤＨＣＰ−ＳＥＲＶ）とによって前記二つの端末局の間に前記通信リンク（ＩＰ−ＴＵＮ）が設定される
ことを特徴とする方法。
【請求項６】
請求項１の方法であって、
前記網表示パラメータ（ＮＩＰ）が更にデータ通信の型（ｅ−ｍａｉｌ；ＤＥＬＴＡ）を示す
ことを特徴とする方法。
【請求項７】
請求項１の方法であって、
前記移動無線電気通信網（ＰＬＭＮ）は汎用パケット無線サービス（ＧＰＲＳ）を含むＤ１またはＤ２の網のようなＧＳＭに基づく無線通信網であり、前記パケットデータ通信網（ＰＤＮ１，ＰＤＮ２，ＩＮ）は会社イントラネット（ＰＤＮ２）および／またはＸ．２５網（ＰＤＮ１）および／またはインタネットプロトコルに基づく網（ＩＮ）および／または汎用パケット無線サービス（ＧＰＲＳ）に基づく網を含む
ことを特徴とする方法。
【請求項８】
請求項１の方法であって、
前記ＧＰＲＳシステムでＰＤＰコンテキスト起動手順（Ｓ１１，Ｓ１２，Ｓ１１’，Ｓ３１，Ｓ３１’，Ｓ３１’’，Ｓ３１’’’，Ｓ４１，Ｓ４１’；Ｓ１，Ｓ２，Ｓ３’，Ｓ３’’，Ｓ４）が行われるとき、前記移動無線電気通信網（ＰＬＭＮ）の前記交換装置（ＰＬＭＮ−ＳＷ）が受ける前記網表示パラメータ（ＮＩＰ）は、ＰＤＰ型パラメータである
ことを特徴とする方法。
【請求項９】
請求項５の方法であって、
前記パケットデータ通信網（ＩＮ）の前記交換装置（ＰＤＮ−ＳＷ）がインタネットサービスプロバイダ（ＩＳＰ１，ＩＳＰ２）であり、前記アクセス手段（ＤＨＣＰ−ＳＥＲＶ）が前記インタネットサービスプロバイダ（ＩＳＰ１，ＩＳＰ２）のＤＨＣＰ−サーバである
ことを特徴とする方法。
【請求項１０】
請求項４の方法であって、
前記識別パラメータ（ＤＨＣＰ−ｉｄ）が前記インタネットサービスプロバイダ（ＩＳＰ１，ＩＳＰ２）の前記ＤＨＣＰ−サーバ（ＤＨＣＰ−ＳＥＲＶ）に送られる
ことを特徴とする方法。
【請求項１１】
移動無線電気通信網（ＰＬＭＮ）の第一の端末局（ＴＥ，ＭＴ；ＧＰＲＳ−ＭＳ）と複数のパケットデータ通信網（ＰＤＮ１，ＰＤＮ２，ＩＮ）の中の一つのパケットデータ通信網の第二の端末局（ＰＴＥ）との間でデータ通信を行うための、前記移動無線電気通信網（ＰＬＭＮ）の交換装置（ＧＳＮ，ＳＧＳＮ，ＧＧＳＮ，ＰＬＭＮ−ＳＷ）であって、
ａ）前記第一の端末局から所定のパケットデータ通信網（ＰＤＮ１，ＰＤＮ２，ＩＮ）を表示する網表示パラメータ（ＮＩＰ，ＰＤＰ−ｔｙｐｅ（＜−＞ＡＳ））を受信するための受信手段（ＮＩＰ−ＲＣ）と、
ｂ）前記パケットデータ通信網（ＰＤＮ１，ＰＤＮ２，ＩＮ）の一つに各々アクセスする複数のアクセス手段（ＧＧＳＮ／ＡＳ）と、
ｃ）前記の受信された網表示パラメータ（ＮＩＰ）に従ってアクセス手段（ＧＧＳＮ／ＡＳ）を選択するための選択手段（ＳＥＬ）と、
ｄ）前記の表示されたパケットデータ通信網（ＰＤＮ１，ＰＤＮ２，ＩＮ）の交換装置（ＰＤＮ−ＳＷ）にアクセスするため前記の選択されたアクセス手段（ＡＳ）を起動するための制御手段（ＡＣ）と
を有することを特徴とする交換装置。
【請求項１２】
請求項１１の交換装置であって、
前記パケットデータ通信網（ＰＤＮ１，ＰＤＮ２，ＩＮ）の所定の一つへの端末局（ＧＰＲＳ−ＭＳ；ＰＴＥ）の加入を表示する加入パラメータ（ＳＰ）を記憶するための加入メモリ手段（ＨＬＲ）と、
前記の受信された網表示パラメータ（ＮＩＰ）を前記加入メモリ手段（ＨＬＲ）に記憶された前記加入パラメータ（ＳＰ）と比較するための加入チェック手段（ＳＣＭ，ＳＧＳＮ）と
を具備し、
前記の受信されたパラメータが前記加入メモリ手段（ＨＬＲ）内のパラメータ（ＳＰ）の一つと合致（ＮＩＰ）したときだけ、前記制御手段（ＡＣ）が選択されたアクセス手段（ＡＳ）を起動する
ことを特徴とする交換装置。
【請求項１３】
請求項１１の交換装置であって、
前記移動無線電気通信網（ＰＬＭＮ）と前記の選択されたパケットデータ通信網（ＰＤＮ１，ＰＤＮ２，ＩＮ）の前記交換装置（ＰＤＮ−ＳＷ）とを通して前記第一と前記第二の端末局との間に通信リンク（Ｐ１，Ｐ２，Ｐ３，ＩＰ−ＴＵＮ）を設定するための通信リンク設定手段（ＴＵＮ−ＬＩＮ）
を特徴とする交換装置。
【請求項１４】
請求項１１の交換装置であって、
前記パケットデータ通信網（ＩＮ）の前記交換装置（ＰＤＮ−ＳＷ）に設けられた確認手段（ＩＤ−ＶＡＬ）が前記第一の端末局（ＧＰＲＳ−ＭＳ）から送られた識別パラメータ（ＤＨＣＰ−ｉｄ）と前記交換手段（ＰＤＮ−ＳＷ）に設けられた識別メモリ手段（ＩＤ−ＭＥＭ）に記憶された複数の識別パラメータ（ＤＨＣＰ−ｉｄ）の一つとが合致すると判定したときだけ、前記通信リンク設定手段（ＴＵＮ−ＬＫ）が通信リンクを設定する
ことを特徴とする交換装置。
【請求項１５】
請求項１４の交換装置であって、
前記通信リンク設定手段は、前記移動無線電気通信網（ＰＬＭＮ）の前記交換装置（ＰＬＭＮ−ＳＷ）と前記の選択されたパケットデータ通信網（ＩＮ）の前記交換装置（ＤＨＣＰ−ＳＥＲＶ）のアクセス手段（ＤＨＣＰ−ＳＥＲＶ）とを通して前記二つの端末局の間に前記通信リンク（ＩＰ−ＴＵＮ）を設定する
ことを特徴とする交換装置。
【請求項１６】
請求項１１と１２の交換装置であって、
前記受信手段（ＮＩＰ−ＲＣ）と前記選択手段（ＳＥＬ）とが前記第一の端末局にサービスする汎用パケット無線サービス（ＧＰＲＳ）システムのサービスＧＰＲＳサポートノード（ＳＧＳＮ）の中に設けられ、前記アクセス手段（ＡＳ）は前記サービスＧＰＲＳサポートノード（ＳＧＳＮ）と前記の選択されたパケットデータ通信網（たとえば、ＩＮ）とに接続されたゲートウェイＧＰＲＳサポートノード（ＧＧＳＮ）であり、前記選択手段（ＳＥＬ）は前記の表示されたパケットデータ通信網に接続されたゲートウェイＧＰＲＳサポートノード（ＧＧＳＮ）を選択し、かつ
前記加入メモリ手段（ＨＬＲ）は前記移動無線電気通信網（ＰＬＭＮ）のホーム・ロケーション・レジスタ（ＨＬＲ）であり、前記加入チェック手段（ＳＣＭ，ＳＧＳＮ）は前記サービスＧＰＲＳサポートノード（ＳＧＳＮ）に設けられ、前記アクセス手段（ＡＳ）は前記ゲートウェイＧＰＲＳサポートノード（ＧＧＳＮ）に設けられたアクセスサーバ（ＡＳ）である
ことを特徴とする交換装置。
【請求項１７】
請求項１１の交換装置であって、
前記パケットデータ通信網（ＩＮ）の前記交換装置（ＰＤＮ−ＳＷ）がインタネットサービスプロバイダ（ＩＳＰ１，ＩＳＰ２）であり、前記網表示パラメータ（ＮＩＰ）がアクセスサーバ・アイデンティティ（ＡＳ−Ｉｄ）を表示する第一のフィールド（ＮＩＰ−１）とインタネットサービスプロバイダ・アイデンティティ（ＩＳＰ−Ｉｄ）を表示する第二のフィールド（ＮＩＰ−２）とを含む
ことを特徴とする交換装置。
【請求項１８】
請求項１５の交換装置であって、
前記アクセス手段（ＤＨＣＰ−ＳＥＲＶ）が前記インタネットサービスプロバイダ（ＩＳＰ１，ＩＳＰ２）のＤＨＣＰ−サーバである
ことを特徴とする交換装置。
【請求項１９】
第一と第二の端末局（ＴＥ，ＭＴ，ＧＰＲＳ−ＭＳ；ＰＴＥ）との間でパケットデータ通信を行うための電気通信システム（ＧＰＲＳ，ＧＳＭ）であって、
ａ）前記第一の端末局（ＭＳ）が接続された少なくとも一つの移動無線電気通信網（ＰＬＭＮＡ，ＰＬＭＮＢ）と、
ｂ）複数のパケットデータ通信網（ＰＤＮ１，ＰＤＮ２，ＩＮ）であって、その一つに前記第二の端末局（ＰＴＥ）が接続された、複数のパケットデータ通信網と、
を具備し、
ｃ）前記移動無線電気通信網（ＰＬＭＮ）は、前記移動無線電気通信網（ＰＬＭＮ）の交換装置（ＰＬＭＮ−ＳＷ）に接続され、前記交換装置（ＰＬＭＮ−ＳＷ）は、
ｃ１）前記移動無線電気通信網（ＰＬＭＮ）を介して前記第一の端末局（ＧＰＲＳ−ＭＳ）から所定のパケットデータ通信網（ＰＤＮ１，ＰＤＮ２，ＩＮ）を表示する網表示パラメータ（ＮＩＰ，ＰＤＰ−ｔｙｐｅ（＜−＞ＡＳ）を受信するための受信手段（ＮＩＰ−ＲＣ）と、
ｃ２）前記パケットデータ通信網（ＰＤＮ１，ＰＤＮ２，ＩＮ）の一つに各々アクセスする複数のアクセス手段（ＧＧＳＮ／ＡＳ）と、
ｃ３）前記の受信された網表示パラメータ（ＮＩＰ）に従ってアクセス手段（ＧＧＳＮ／ＡＳ）を選択するための選択手段（ＳＥＬ）と、
ｃ４）前記の表示されたパケットデータ通信網（ＰＤＮ１，ＰＤＮ２，ＩＮ）の交換装置（ＰＤＮ−ＳＷ）にアクセスするため前記の選択されたアクセス手段（ＧＧＳＮ／ＡＳ）を起動するための制御手段（ＡＣ）と
を具備することを特徴とする、システム。
【請求項２０】
請求項１９のシステムであって、
前記交換装置（ＰＬＭＮ−ＳＷ）が、
前記パケットデータ通信網（ＰＤＮ１，ＰＤＮ２，ＩＮ）の所定の一つへの端末局（ＧＰＲＳ−ＭＳ；ＰＴＥ）の加入を表示する加入パラメータ（ＳＰ）を記憶するための加入メモリ手段（ＨＬＲ）と、
前記の受信された網表示パラメータ（ＳＰ）を前記加入メモリ手段（ＨＬＲ）に記憶された前記加入パラメータ（ＮＡＰ）と比較するための加入チェック手段（ＳＣＭ，ＳＧＳＮ）と
を具備し、
前記の受信されたパラメータ（ＮＩＰ）が前記加入メモリ手段（ＨＬＲ）内のパラメータ（ＳＰ）の一つと合致したときだけ、前記制御手段（ＡＣ）が選択されたアクセス手段（ＡＳ）を起動する
ことを特徴とするシステム。
【請求項２１】
パケットデータ通信網（ＰＤＮ１，ＰＤＮ２，ＩＮ）の所定の端末局（ＰＴＥ）へパケットデータ通信を行うための移動無線電気通信網（ＰＬＭＮ）の端末局（ＧＰＲＳ−ＭＳ）であって、
ａ）前記移動無線電気通信網（ＰＬＭＮ）の交換装置（ＧＳＮ，ＳＧＳＮ，ＧＧＳＮ，ＰＬＭＮ−ＳＷ）を通して前記移動無線電気通信網（ＰＬＭＮ）に接続されたパケットデータ通信網にそれぞれ対応する複数の網表示パラメータ（ＮＩＰ）を記憶するための網表示パラメータメモリ手段（ＮＩＰ−ＭＥＭ）と、
ｂ）前記端末局がパケットデータを送信／受信するべきパケットデータ通信網を表示する、前記メモリ手段（ＮＩＰ−ＭＥＭ）からの網表示パラメータ（ＮＩＰ）を選択するための選択手段（ＳＥＬ）と、
ｃ）前記網表示パラメータ（ＮＩＰ）によって表示されるパケットデータ通信網への接続を要求するために前記の選択された網表示パラメータ（ＮＩＰ）を前記交換装置（ＧＳＮ，ＳＧＳＮ，ＧＧＳＮ，ＰＬＭＮ−ＳＷ）へ送るための網要求手段（ＮＲＭ，Ｓ１）と
を特徴とする端末局。
【請求項２２】
請求項２１の端末局であって、
前記端末局が前記の所望のパケットデータ通信網に対するアクセス権をそなえている旨の前記交換装置（ＰＬＭＮ−ＳＷ）からのアクノリッジを受信したことに応答して、接続設定手順（Ｓ１−Ｓ４）を実行することにより、前記パケットデータ通信網（ＰＤＮ１，ＰＤＮ２，ＩＮ）への通信経路（ＩＰ−ＴＵＮ，Ｐ１，Ｐ２，Ｐ３）を設定する
ことを特徴とする端末局。
【請求項２３】
請求項２１又は２２の端末局であって、
前記交換装置（ＰＬＭＮ−ＳＷ）に識別パラメータ（ＤＨＣＰ−ｉｄ）を送るための識別手段（ＩＤ）
を特徴とする端末局。
【請求項２４】
請求項２１の端末局であって、
前記の送られた網表示パラメータ（ＮＩＰ）が更にデータ通信の型（ｅ−ｍａｉｌ；ＤＥＬＴＡ）を表示する
ことを特徴とする端末局。
【請求項２５】
請求項２１の端末局であって、
前記移動無線電気通信網（ＰＬＭＮ）はＤ１またはＤ２の網のようなＧＳＭに基づく無線通信システム網であり、前記パケットデータ伝送網（ＰＤＮ１，ＰＤＮ２，ＩＮ）は会社イントラネット（ＰＤＮ２）および／またはＸ．２５網（ＰＤＮ１）および／またはインタネットプロトコルに基づく網（ＩＮ）および／または汎用パケット無線サービス（ＧＰＲＳ）に基づく網を含む
ことを特徴とする端末局。
【請求項２６】
請求項２１又は２５の端末局であって、
前記網表示パラメータ（ＮＩＰ）がＰＤＰ型パラメータであり、前記ＧＰＲＳシステムでＰＤＰコンテキスト起動手順（Ｓ１１，Ｓ１２，Ｓ１１’，Ｓ３１，Ｓ３１’，Ｓ３１’’，Ｓ３１’’’，Ｓ４１，Ｓ４１’；Ｓ１，Ｓ２，Ｓ３’，Ｓ３’’，Ｓ４）が行われるとき、前記網要求手段（ＮＲＭ）が前記パラメータを前記交換装置（ＰＬＭＮ−ＳＷ）に送信する
ことを特徴とする端末局。
【請求項２７】
請求項２１又は２５の端末局であって、
前記パケットデータ通信網（ＩＮ）の前記交換装置（ＰＤＮ−ＳＷ）がインタネットサービスプロバイダ（ＩＳＰ１，ＩＳＰ２）であり、前記網表示パラメータ（ＮＩＰ）がアクセスサーバ・アイデンティティ（ＡＳ−Ｉｄ）を表示する第一のフィールド（ＮＩＰ−１）とインタネットサービスプロバイダ・アイデンティティ（ＩＳＰ−Ｉｄ）を表示する第二のフィールド（ＮＩＰ−２）とを含む
ことを特徴とする端末局。
【請求項２８】
請求項１１の交換装置であって、
前記網表示パラメータ（ＮＩＰ）が前記ＧＰＲＳシステムでＰＤＰコンテキスト起動手順（Ｓ１１，Ｓ１２，Ｓ１１’，Ｓ３１，Ｓ３１’，Ｓ３１’’，Ｓ３１’’’，Ｓ４１，Ｓ４１’；Ｓ１，Ｓ２，Ｓ３’，Ｓ３’’，Ｓ４）が行われるとき前記移動無線電気通信網（ＰＬＭＮ）の前記交換装置（ＰＬＭＮ−ＳＷ）に送信されるＰＤＰ型パラメータである
ことを特徴とする交換装置。
【発明の詳細な説明】
【０００１】
（発明の分野）
本発明は、ゲートウェイＧＰＲＳサポートノード（ＧＧＳＮ）に接続された数個のパケットデータ網（ＰＤＮ）から所定の網を加入者局が選択できる、特にＧＳＭ（移動通信用グローバル・システム）に基づく汎用パケット無線サービス（ＧＰＲＳ：Ｇｅｎｅｒａｌ  Ｐａｃｋｅｔ  Ｒａｄｉｏ  Ｓｅｒｖｉｃｅ）システムのための、方法、交換装置、電気通信システム、および端末局に関するものである。パケットデータ網は、任意の種類のパケットデータ網またはインタネットサービスプロバイダ（ＩＳＰ）とすることができる。
【０００２】
（発明の背景）
ＧＳＭの汎用パケット無線サービス（ＧＰＲＳ）の標準化は現在、欧州電気通信標準協会（ＥＴＳＩ）で進行中である。ＧＰＲＳは移動ＧＳＭユーザに実際のパケット無線アクセスを提供する新しいＧＳＭサービスである。ＧＰＲＳシステムによれば、何か送るものがあるときだけ（このシステムのパケットの性質により）無線リソースが保留され、セル内のすべての移動局が同じ無線リソースを共用するので、乏しいリソースが効率的に使用されることになる。ＧＰＲＳは、テレメトリ、列車制御システム、インタラクティブデータアクセス、課金システム、およびワールドワイドウェブを使用するインタネットブラウジングのような種々の用途を容易にする。
【０００３】
ＧＳＭ網の回線交換の性質と逆に、ＧＰＲＳの動作は（ＴＣＰ／ＩＰ、Ｘ．２５およびＣＬＮＰのようなプロトコルを使用して）標準データ網への接続を提供するように構成される。対照的に、従来のＧＳＭ網はもともと、回線交換音声セションだけを提供するように設計された。パケット指向ＧＰＲＳ網のインフラストラクチャでは、新しい機能要素が導入される。これらの新しい機能素子については、以後簡単に図１を参照して説明する。
【０００４】
現在のＧＳＭサービスの要素と新しいＧＰＲＳ網との間に、ある協力がなお存在することに注意すべきである。物理レイヤでは、リソースを拒絶することができ、いくつかの共通のシグナリング機能が存在する。同じ無線キャリヤに、回線交換とＧＰＲＳ用に同時にタイムスロットを保留することができる。回線交換（ｃｉｒｃｕｉｔ−ｓｗｉｔｃｈｅｄ）とＧＰＲＳのチャネル間の動的シェアリングにより、最適のリソース利用が得られる。回線交換呼の確立の間に、優先度がより高い回線交換セルに対するＧＰＲＳソースを先取りする時間がまだ充分にある。
【０００５】
（ＧＳＭ網とＧＰＲＳ網の相互作用）
図１は、ＧＳＭ回線交換機能とＧＰＲＳパケット交換システムの要素の相互作用の簡単な概観図である。ＧＰＲＳサポートノードＧＳＮは主要要素であり、種々のデータ網との接続と相互作用、ＧＰＲＳレジスタによる移動性管理、およびもちろん、位置と無関係な移動局ＧＰＲＳ−ＭＳへのデータパケットの送達を行う。物理的に、ＧＳＮはＰＬＭＮ（Ｐｕｂｋｉｃ  Ｌａｎｄ  Ｍｏｂｉｌｅ  Ｎｅｔｗｏｒｋ：公衆地上移動電話網）の移動交換局ＭＳＣに集積することができる。代わりに、ＧＳＮはデータ網ルータのアーキテクチャに基づく別個の網（ネットワーク）とすることができる。ユーザデータはＧＳＮと基地局サブシステム（ＢＳＳ）との間に流れ、ＭＳＣとＧＳＮとの間でシグナリングが交換される。
【０００６】
したがって、ＧＰＲＳはデータ網の境界からＧＰＲＳのＭＳにベアラサービス（ｂｅａｒｅｒ  ｓｅｒｖｉｃｅ）を提供する。ベアラサービスのユーザは（ＩＰ、ＯＳＩ  ＣＬＮＰおよびＸ．２５のような）公衆網レイヤソフトウェアパッケージである。また、ＧＰＲＳ特有のアプリケーションがＧＰＲＳサービスを使用する。
【０００７】
ＧＰＲＳはパケットモード手法を使用することにより、高速データ、低速データ、およびシグナリングを効率的に転送する。ＧＰＲＳは網リソースの使用を最適化し、無線システムの負荷を最小にする。無線サブシステムと網サブシステムとの間の厳格な分離が維持されるので、網サブシステムを他の無線アクセステクノロジーと一緒に再使用することができる。ＧＰＲＳそれ自体は設置されたＭＳＣ基地に変更を委任しない。
【０００８】
新しいＧＰＲＳ無線チャネルが規定され、これらのチャネルの割り当ては柔軟である。すなわち、ＴＤＭＡフレーム当たり１から８個の無線インタフェースタイムスロットを割当てることができ、タイムスロットは別々に割り当てられたアップリンクおよびダウンリンクでアクティブユーザにより共同使用される。サービスロードとオペレータの選択の関数として、無線インタフェースソースは音声サービスとデータサービスとの間で動的に共同使用することができる。ユーザ当たり９キロバイト／秒から１５０キロバイト／秒以上までのビットレートが可能となるように、種々の無線チャネル符号化方式が指定される。ユーザ当たり２００キロバイト／秒までの生データレートを得ることができるとさえ推定される。
【０００９】
上記のように、標準データプロトコルに基づくアプリケーションがサポートされ、ＩＰ網とＸ．２５網で交互作用が規定される。トラヒックテレメトリおよびＵＩＣ列車制御のようなアプリケーションに対して特定のポイント・ツー・ポイントおよびポイント・ツー・マルチポイントのサービスがサポートされる。ＧＰＲＳによって、ＧＰＲＳ無線チャネルで短メッセージサービス（ＳＭＳ）を転送することもできる。
【００１０】
ＧＰＲＳは間欠バーストデータ転送から大量のデータの不定期伝送までをサポートするように設計されている。四つの異なるサービス品質（ＱｏＳ：Ｑｕａｌｉｔｙ  ｏｆ  Ｓｅｒｖｉｃｅ）がサポートされる（これらのＱｏＳは後で説明するように最初にＰＤＰコンテキスト起動手順の間に設定される）。パケットの伝送を開始する高速保留が０．５秒から１秒になるようにＧＰＲＳが設計される。課金は通常、伝送のパケットの性質により転送されるデータ量に基づいて行われる。
【００１１】
（ＧＰＲＳをサポートする端末局）
ＧＰＲＳでは、ＧＰＲＳ移動局の三つの異なるクラスがサポートされる。クラスＡのＭＳはＧＰＲＳサービスと他のＧＳＭサービスとを同時に動作させることができる。クラスＢのＭＳはＧＰＲＳサービスと他のＧＳＭサービスとに対する制御チャネルを同時に監視することができるが、一度に一組のサービスを動作させることしかできない。クラスＣのＧＰＲＳのＭＳはＧＰＲＳサービスを排他的に動作させることができる。
【００１２】
（データパケット伝送）
図１のＧＰＲＳサポートノードＧＳＮを大体設定したとき、もちろんＧＰＲＳ網の主要な問題の一つは、移動局ＭＳへの、また移動局ＭＳからのデータパケットのルーティング（ｒｏｕｔｉｎｇ）である。この問題は二つの副問題、すなわち、データパケットのルーティングおよび移動管理に分割することができる。
【００１３】
移動局ＭＳへのデータパケットのルーティングはＧＰＲＳ網の問題である。移動局のデータ網アドレスは通常、静止ルーティング機構をそなえているが、移動局ＭＳは一つの網から他の網へとローミングすることができるからである。移動環境でのデータパケットルーティングのための一つの手法は、移動ＩＰの概念である。（シー・パーキンス［Ｃ．Ｐｅｒｋｉｎｓ］編”ＩＰ  Ｍｏｂｉｌｉｔｙ  Ｓｕｐｐｏｒｔ，ｄｒａｆｔ  ｉｅｔｆ−ｍｏｂｉｌｅｉｐ−ｐｒｏｔｏｃｏｌ−１１．ｔｘｔ”、１９９５年７月、インタネット・エンジニアリング・タスク・フォースで進行中の作業）。
【００１４】
移動ＩＰにより、付加点のサブネットワークに無関係に、移動ホストへのＩＰデータグラムのルーティングが可能となる。移動ホストへのルーティングが網によって内部的に処理されるセル状のディジタルパケットデータ（ＣＤＰＤ）のためのシステムに、もう一つの手法が取入れられている。（ＣＤＰＤ産業入力コーディネータ、「セル状のディジタルパケットデータシステム仕様」、リリース１．０、１９９３年７月）（ＣＤＰＤ  Ｉｎｄｕｓｔｒｙ  Ｉｎｐｕｔ  Ｃｏｏｒｄｉｎａｔｏｒ，”Ｃｅｌｌｕｌａｒ  Ｄｉｇｉｔａｌ  Ｐａｃｋｅｔ  Ｄａｔａ  Ｓｙｓｔｅｍ  Ｓｐｅｃｉｆｉｃａｔｉｏｎ”，Ｒｅｌｅａｓｅ  １．０，Ｊｕｌｙ  １９９３）。
【００１５】
ＩＰ以外の網プロトコルもサポートしなければならないので、標準の移動ＩＰ概念はＧＰＲＳ環境に正確に適合しない。したがって、データパケットのルーティングのため、図２に示すように移動ＩＰ概念に類似した概念で、（一般のＧＰＲＳノードＧＳＮを含む）図１の電気通信網の構造が作られる。
【００１６】
（ＧＰＲＳサポートノード）
図２で、ＧＰＲＳはＧＳＭのＰＬＭＮに二つの新しいネットワークノードを導入する。ＭＳＣ（Ｍｏｂｉｌｅ  Ｓｗｉｔｃｈｉｎｇ  Ｃｅｎｔｅｒ：移動交換局）と同じ階層レベルにある、サービスするＧＰＲＳサポートノード（ＳＧＳＮ）は個々の移動局の位置の跡を追い、機密性機能とアクセス制御を行う。ＳＧＳＮはフレームリレーで基地局システムに接続される。したがって、ＳＧＳＮの主要機能は、サービスエリアの新しいＧＰＲＳのＭＳを検出すること、新しいＭＳをＧＰＲＳレジスタに登録するプロセスを取り扱うこと、ＧＰＲＳのＭＳとデータパケットを送受し、そのサービスエリアの内側のＭＳの位置の記録を保持することである。加入情報はＧＰＲＳレジスタに記憶される。ＧＰＲＳレジスタには、（ＭＳ−ＩＳＤＮまたはＩＭＳＩ［国際移動局アイデンティティ：Ｉｎｔｅｒｎａｔｉｏｎａｌ  Ｍｏｂｉｌｅ  Ｓｔａｔｉｏｎ  Ｉｄｅｎｔｉｔｙ］のような）移動局アイデンティティとＰＳＰＤＮアドレスとの間の写像が記憶される。ＧＰＲＳレジスタは、そのエリアの新しいＭＳがＧＰＲＳ網に加わることが許されるかをＳＧＳＮがそれから尋ねることができるデータベースとして動作する。
【００１７】
ゲートウェイＧＳＮ（ＧＧＳＮ）は外部パケット交換網との交互作用を提供し、ＩＰに基づくＧＰＲＳバックボーン網（ＩＰ：インタネットプロトコル）を介してＳＧＳＮと接続される。上記のＧＰＲＳレジスタはＨＬＲに設けることができる。このようにして、ＨＬＲはＧＰＲＳ加入者情報で増強される。選択的に、ＭＳＣ／ＶＬＲはＧＰＲＳサービスおよび非ＧＰＲＳサービスと機能、たとえばＳＧＳＮおよびＧＰＲＳと非ＧＰＲＳの位置の更新を介してより効率的に行うことができる回線交換呼に対するページング、のより効率的な共同作用に対して増強することができる。
【００１８】
やはり図２に示すように（本出願には関連しないが）、ＳＧＳＮはもちろん、短メッセージサービスのインターワーキング（ｉｎｔｅｒｗｏｒｋｉｎｇ）するＭＳＣ（ＳＭＳ−ＩＷＭＳＣ）を介して短メッセージサービスゲートウェイＭＳＣ（ＳＭＳ−ＧＭＣ）と協力する。
【００１９】
更に、注意すべきことは、ＳＧＳＮは既存のＧＳＭのように同じアルゴリズム、キー、および規準に基づいて認証（ａｕｔｈｅｎｔｉｃａｔｉｏｎ）と暗号の設定機能を遂行するということである。ＧＰＲＳは、パケットデータ伝送に対して最適化された暗号アルゴリズムを使用する。
【００２０】
（移動局によるＧＰＲＳアクセス）
ＧＰＲＳサービスにアクセスするために、移動局はまず、ＧＰＲＳ付加（ａｔｔａｃｈ）を行うことにより移動局の存在を網に知らせなければならない。この動作は移動局とＳＧＳＮとの間の論理リンクを確立し、移動局がＧＰＲＳを介したＳＭＳ、ＳＧＳＮを介したページング、および入力ＧＰＲＳデータの通知を得られるようにする。ＧＰＲＳデータを送受するために、移動局はそれが使用したいパケットデータアドレス（ＰＤＮアドレス）を起動しなければならない。この動作により、対応するＧＧＳＮで移動局が知られ、外部データ網とのインターワーキングを開始することができる。
【００２１】
カプセル化とトンネル化として知られている手順で移動局と外部データネットワークとの間でユーザデータが透明に転送される（トンネルメッセージの交換はＰＤＰコンテキスト起動手順の一部である）。データパケットにはＧＰＲＳ特有のプロトコル情報が設けられ、データパケットは移動局とＧＧＳＮとの間で転送される。この透明な転送方法により、ＧＰＲＳのＰＬＭＮが内部データプロトコルを解釈する必要性が低下し、将来の付加的なインターワーキングプロトコルを容易に導入することができる。ユーザデータは効率と信頼性のための再送プロトコルで圧縮し、検出することができる。
【００２２】
このように、その一般的な形式（ＧＳＮ）でのＧＰＲＳサポートノードには、ＧＰＲＳをサポートするために必要とされる機能が含まれている。図３に示すように、一つのＰＬＭＮに二つ以上のＧＳＮがあることがあり得る。
【００２３】
ゲートウェイＧＰＲＳサポートノード（ＧＧＳＮ）は、いわゆるＰＤＰアドレスの評価によりパケットデータ網がアクセスするノードである。このアドレスには、付加されたＧＰＲＳユーザに対するルーティング情報が入っている。ルーティング情報を使用して、プロトコルデータユニット（ＰＤＵ）が移動局の現在付加点、すなわちそれぞれのサービスするＧＰＲＳサポートノード（ＳＧＳＮ）にトンネリングされる。ＧＧＳＮは選択的なＧｃインタフェースを介してＨＬＲからの位置情報を要求することがある。ＧＧＳＮは、ＧＰＲＳをサポートするＧＳＭのＰＬＭＮとのＰＤＮ（パケットデータ網）相互接続の第一の点である（すなわち、Ｇｉ基準点はＧＧＳＮによってサポートされる）。
【００２４】
（ＧＰＲＳに接続されるイントラネットワークとインタネットワーク）
図１はＧＳＭシステムへのＧＰＲＳ機能の埋込みの一般的な構造を示すが、図３はＧＰＲＳバックボーン網として必要とされるＰＬＭＮの中の付加的な網を示す。
【００２５】
ＰＬＭＮ内バックボーン網は、同じＰＬＭＮの中のＧＳＮを相互接続するインタネットプロトコル網である。ＰＬＭＮ間バックボーン網は、異なるＰＬＭＮの中のＧＳＮとＰＬＭＮ内バックボーン網を相互接続するＩＰ網である。各ＰＬＭＮ内バックボーン網は、ＧＰＲＳデータとＧＰＲＳシグナリングだけを意図した専用ＩＰ網である。このような専用ＩＰ網は、所要の機密性（セキュリティ）レベルを達成するために、あるアクセス制御機構が適用されるＩＰ網である。
【００２６】
ＰＬＭＮ内バックボーン網は、ボーダゲートウエイ（ＢＧ）およびＰＬＭＮ間バックボーン網を使用してＧｐインタフェースを介して接続される。ＰＬＭＮ間バックボーン網は、ＢＧ機密機能を含むローミング協定によって選択される。ＢＧはＧＰＲＳの範囲内で規定されない。ＰＬＭＮ間バックボーン網はパケットデータ網であり得る。たとえば、ＰＬＭＮ内バックボーン網は法人の網であり得るし、パケットデータ網は公衆インタネットまたは専用回線であり得る。
【００２７】
最後に、図２に示されたＨＬＲは、ＧＰＲＳ加入データとルーティング情報とを含む。このＨＬＲはＧｒインタフェースを介してＳＧＳＮからアクセスできる。ローミングする移動局ＭＳの場合、ＨＬＲは移動局が接続される現在のＳＧＳＮと異なるＰＬＭＮであってもよい。したがって、図３で、ＨＬＲはＰＬＭＮのＡまたはＰＬＭＮのＢの中に配置することができる。
【００２８】
（ＧＰＲＳ通信の例）
図１−３でＧＰＲＳシステムの一般的なアーキテクチャについて説明したが、図４はこのようなシステムで情報のルーティングをどのように行うことができるかという実例を示す。図４に示すように、ＧＰＲＳ移動通信システムの中には、三つの異なるルーティング方式があるので、本発明に対する可能なアプリケーションの三つの例は次の通りである。
−  移動発信メッセージ（経路Ｐ１）
−  移動局（ＭＳ）がそのホーム網内にあるときの移動着信メッセージ（経路Ｐ２）
−  移動局（ＭＳ）がもう一つのＧＰＲＳオペレータの網にローミングしたときの移動着信メッセージ（経路Ｐ３）
【００２９】
図３と同様、図４でも、オペレータのＧＰＲＳ網は多数のＧＳＮと一つのオペレータ内バックボーン網で構成される。オペレータ内バックボーン網は、オペレータ毎に異なり得るオペレータ特有の網プロトコルを使用して一つのオペレータのサポートノードを接続する。しかし、インターワーキング能力で、ＧＧＳＮはデータ網と、一つの標準プロトコルを使用して異なるオペレータのＧＰＲＳ網を接続するオペレータ間バックボーン網とに接続され得る。
【００３０】
この提案されたアーキテクチャの主要な利点は、その柔軟性、測定可能性、および相互に影響を与えられることである。このアプローチにより、各オペレータＰＬＭＮのＡ、Ｂは通信により任意のプロトコルを使用して個別バックボーン網を構成することができる。他のＧＰＲＳオペレータは唯一つの共通のプロトコルを使用して構成される。ＥＴＳＩは将来の主要バックボーンプロトコルとなるようにＩＰｖ６を選択した。中間のバックボーンプロトコルとしてＩＰｖ４が選択された。
【００３１】
図４に示すように、データ網の見地から、ＧＰＲＳ網はデータ網の中のサブ網（ｓｕｂ−ｎｅｔｗｏｒｋ）に類似する。たとえば、インタネットでは、ＧＧＳＮは、その後ろにＧＰＲＳ網全体が隠されるＩＰルータのように動作する。このときインタネット網のコンピュータはＧＰＲＳをＩＰサブ網とみなし、ＧＰＲＳ網が完全に標準のインタネット構成であるかのようにメッセージがそのＧＰＲＳに送られる。このとき、データ網のルーティング機構は正規のインタネット受信器の場合と全く同じである。
【００３２】
図４に示され、経路Ｐ１に関連したデータルーティングの第一の例によれば、ＧＰＲＳ移動局はデータパケットを、すなわち公衆交換パケットデータ網ＰＳＰＤＮのパケットデータユニットＰＤＵをデータ網に送る。ＰＳＰＤＮのＰＤＵデータパケットはエアインタフェースを介してＬＬＣ（論理リンク制御）プロトコルを使用して、現在ＧＰＲＳ移動局ＭＳにサービスしているＧＰＲＳサービスサポートノードＳＧＳＮに送られる。ＧＰＲＳサービスサポートノードＳＧＳＮが誤り無しにデータパケットを受信した場合、そのＳＧＳＮはＰＳＰＤＮのＰＤＵデータパケットをＧＰＲＳバックボーン網データパケットにカプセル化し、このデータパケットがＧＰＲＳ移動局ＭＳからデータ網へのトラヒックを取り扱うＧＰＲＳゲートウェイサポートノード（ＧＧＳＮ）に送られる。ＧＰＲＳゲートウェイサポートノードＧＧＳＮはＰＳＰＤＮのＰＤＵデータパケットをデカプセル化し、これを適切なデータ網に転送する。
【００３３】
図４に示すように、本発明の出願に対する第二の例は経路Ｐ２に関連している。データ網のホストはＰＳＰＤＮのＰＤＵデータパケットをホームＧＰＲＳ網の中にあるＧＰＲＳ移動局ＭＳに送っている。ここで、上述した第一の例と比較して、ＰＳＰＤＮのＰＤＵデータパケットがＧＰＲＳゲートウェイサポートノードＧＧＳＮに達するまで、データ網のルーティング機構を使用してＰＳＰＤＮのＰＤＵデータパケットが逆方向に送られる。ＧＰＲＳゲートウェイサポートノードで、ＧＰＲＳ移動局ＭＳのＰＳＰＤＮアドレスが抽出され、ＧＰＲＳ移動局ＭＳの現在の位置が写像される。次に、ホームＧＰＲＳ網の中のＰＳＰＤＮのＰＤＵデータパケットのルーティングが実行される。このようにして、ＰＳＰＤＮのＰＤＵデータパケットがまずカプセル化されて、バックボーン網に入った後、現在ＧＰＲＳ移動局ＭＳにサービスしているＧＰＲＳサービスサポートノードＳＧＳＮに送られる。
【００３４】
図４に示された最後の例は経路Ｐ３に関連し、例Ｐ２とほとんど同じである。ここで、ＧＰＲＳ移動局ＭＳはもう一つのＧＰＲＳ網にローミングし、ホームＧＰＲＳ網はオペレータ間バックボーン網を介して在圏ＧＰＲＳ網にＰＳＰＤＮのＰＤＵデータパケットを送らなければならない。したがって、この例によれば、付加的なＧＰＲＳゲートウェイサポートノードＧＧＳＮが含まれ、ローミングするＧＰＲＳ移動局ＭＳにデータパケットを与える。次に、第二の例について上記したように、ビジットされた（ｖｉｓｉｔｅｄ）ＧＰＲＳ網はＰＳＰＤＮのＰＤＵデータパケットを更に適切なＧＰＲＳサービスサポートノードに送る。
【００３５】
データパケットの伝送を希望するＧＰＲＳ移動局ＭＳの代表的なログオン手順が図５に示されている。このログオン手順の主要目的は、ＧＰＲＳ移動局ＭＳのＰＳＰＤＮアドレスをＧＰＲＳ網に送り、ＧＰＲＳ移動局ＭＳの現在の所在について報告し、ＧＰＲＳゲートウェイサポートノードＧＧＳＮのルーティングテーブルの中の割当てられたＰＳＰＤＮアドレスに対するエントリを作成し、統計的手順で課金を開始することである。
【００３６】
ＧＰＲＳログオン手順の間、ＧＳＭスタンドアロン専用制御チャネル（ＳＤＣＣＡ）をキャリヤとして使用して、ＭＳとＳＧＳＮとの間の論理リンクのコンテキスト（内容またはパラメータセット）が確立される。コンテキストの確立の間に、ＧＰＲＳ移動局も認証され、ＧＰＲＳ移動局ＭＳとＧＰＲＳサービスサポートノードＳＧＳＮとの間で暗号パラメータが交換される（この認証／暗号手順は後で説明するＰＤＰコンテキスト起動とは別に実行される。ＧＳＭ０３．６０文書参照）。
【００３７】
次に、登録はＧＰＲＳゲートウェイサポートノードに転送され、そこでＧＰＲＳ移動局ＭＳの位置が更新される。ここで、ＧＰＲＳゲートウェイサポートノードＧＧＳＮが前のＧＰＲＳサービスサポートノードＳＧＳＮに知らせて、前のレジスタからＧＰＲＳ移動局ＭＳを除去する。ＧＰＲＳログオン手順が成功した場合、ＧＰＲＳ移動局は待機状態に入る。最後に、ログオン手順に類似したＧＰＲＳログオフ手順を開始することによりＧＰＲＳ移動局はＧＰＲＳサービスを出ることができる。
【００３８】
（ＰＤＰコンテキスト起動手順）
ＰＤＰコンテキスト起動で、ＳＧＳＮは、ＧＰＲＳ加入者が使用しているＧＧＳＮとともに、ＧＰＲＳのＰＬＭＮの内側でルーティングの目的で使用されるべき、いわゆるＰＤＰコンテキストを確立する。
【００３９】
ポイント・ツー・ポイント（ＰＴＰ）ＧＰＲＳ加入は、（たとえば、ＨＬＲの中の）一つ以上のＰＤＰアドレスの加入を含む。各ＰＤＰアドレスは、移動局ＭＳ、ＳＧＳＮ、およびＧＧＳＮの中の個別ＰＤＰコンテキストによって記述される。ＰＤＰ状態はＰＤＰアドレスがデータ転送のために起動されるか否かを示す。加入者のすべてのＰＤＰコンテキストはその加入者のＩＭＳＩに対する同じＭＭコンテキストと結合される。
【００４０】
このようにして、ＰＤＰコンテキストはＰＤＰアドレスに対して移動局ＭＳとＧＳＮに保持される情報セットである。これについては、「ディジタルセル電気通信システム」（Ｄｉｇｉｔａｌ  Ｃｅｌｌｕｌａｒ  Ｔｅｌｅｃｏｍｍｕｎｉｃａｔｉｏｎ  Ｓｙｓｔｅｍ  （Ｐｈａｓｅ  ２＋））、汎用パケット無線サービス（Ｇｅｎｅｒａｌ  Ｐａｃｋｅｔ  Ｒａｄｉｏ  Ｓｅｒｖｉｃｅｓ  （ＧＰＲＳ））、ＧｎとＧｐインタフェースを横切るＧＰＲＳトンネルプロトコル（ＧＰＲＳ  Ｔｕｎｎｅｌｉｎｇ  Ｐｔｏｔｏｃｏｌ  （ＧＴＰ）  ａｃｒｏｓｓ  ｔｈｅ  Ｇｎ  ａｎｄ  Ｇｐ  ｉｎｔｅｒｆａｃｅ）、ＧＳＭ  ０９．６０提案バージョン１．１．０（ＧＳＭ  ０９．６０  ｐｒｏｐｏｓｅｄ  ｖｅｒｓｉｏｎ  １．１．０）、文書ＴＳ１００  ９６０提案バージョンＶ１．１．０（Ｄｒａｆｔ  ＴＳ１００  ９６０  ｐｒｏｐｏｓｅｄ  ｖｅｒｓｉｏｎ  Ｖ１．１．０）（１９９７年６月、欧州電気通信標準協会ＥＴＳＩ発行）に述べられている。
【００４１】
起動ＰＤＰコンテキスト要求メッセージを受信すると、ＳＧＳＮはＰＤＰコンテキストを設定するための手順を開始する。したがって、有効な要求はＳＧＳＮの中のＰＤＰコンテキストとＧＧＳＮの中のＰＤＰコンテキストとの間のトンネルの作成を開始する。すなわち、図５のログオン手順の間または後の、ＰＤＰコンテキスト起動手順の成功の後に、ＳＧＳＮとＧＧＳＮと（したがって、ＧＰＲＳ移動局と）の間でＰＤＰコンテキストが同意され、これはパケットデータの送信のために使用される。ＰＤＰコンテキスト情報パラメータのリストは、ＧＳＭ０３６０の提案バージョン２．０．０文書（ＧＳＭ０３６０  ｐｒｏｐｏｓｅｄ  ｖｅｒｓｉｏｎ  ２．０．０  ｄｏｃｕｍｅｎｔ）（１９９７年５月、ＥＴＳＩ発行）の表５に示されている。
【００４２】
図６の従来のＰＤＰコンテキスト起動手順は下記の４ステップＳ１、Ｓ２、Ｓ３、Ｓ４を含む。
【００４３】
ステップＳ１では、移動局ＭＳは起動ＰＤＰコンテキスト要求（ＴＬＬ１、要求ＱｏＳ、ＮＳＡＰＩ）メッセージをＳＧＳＮに送る。移動局ＭＳは、所望の型の動的アドレスを示すＰＤＰコンテキストを参照するＮＳＡＰＩ（網レイヤサービスアクセスポイント識別子）を選択することにより動的ＰＤＰアドレスの使用を希望することを示す。
【００４４】
ステップＳ２で、機密性機能が実行される。
【００４５】
ステップＳ３で、ＧＰＲＳログオン（付加）の間にＳＧＳＮに記憶された加入データの中のＰＤＰコンテキストにＮＳＡＰＩが一致するかＳＧＳＮがチェックする。移動局ＭＳが動的アドレスでＰＤＰコンテキストを要求した場合には、ＳＧＳＮはＧＧＳＮに動的アドレスを割り当てさせる（使用されるＧＧＳＮはＰＤＰコンテキストに記憶されたＧＧＳＮアドレス、またはこのフィールドが空きである場合には、ＳＧＳＮによって選択された適切なＧＧＳＮである）。その能力、電流負荷、および加入者ＱｏＳレベルが与えられれば、ＳＧＳＮは所要のＱｏＳ値を制限してもよい。
【００４６】
したがって、ステップＳ３’で、ＳＧＳＮは影響を受けたＧＧＳＮにＰＤＰコンテキスト作成要求（ＩＭＳＩ、ＰＤＰ型、ＰＤＰアドレス、協定ＱｏＳ、ＴＩＤ）メッセージを送る。動的アドレスが要求された場合、ＰＤＰアドレスは零に設定される。ＧＧＳＮはそのＰＤＰコンテキストテーブルに新しいエントリを作成する。この新しいエントリにより、ＧＧＳＮはＳＧＳＮと外部ＰＤＰ網との間でＰＤＰのＰＤＵのルーティングを行うことができる。
【００４７】
ステップＳ３’’で、ＧＧＳＮはＰＤＰコンテキスト作成応答（ＴＩＤ、ＰＤＰアドレス、ＢＢプロトコル、原因）メッセージをＳＧＳＮに返送する。ＧＧＳＮがＰＤＰアドレスを割り当てた場合には、ＰＤＰアドレスが含まれる。ＢＢプロトコルは、ＳＧＳＮとＧＧＳＮとの間のバックボーン網でユーザデータを運ぶためにＴＣＰまたはＵＤＰを使用するか否かを示す。ＰＤＰコンテキスト作成メッセージがＧＰＲＳバックボーン網を介して送られる。
【００４８】
ステップＳ４で、ＳＧＳＮはＧＧＳＮから受信したＰＤＰアドレスをそのＰＤＰコンテキストに挿入する。ＳＧＳＮはＰＤＰコンテキスト起動受理（ＴＬＬＩ、ＰＤＰ型、ＰＤＰアドレス、ＮＳＡＰＩ、協定ＱｏＳ、原因）メッセージをＭＳに返送する。ステップＳ４後に、ＳＧＳＮはＧＧＳＮと移動局ＭＳとの間でＰＤＰのＰＤＵのルーティングを行うことができる。
【００４９】
ＰＤＰアドレス毎に、異なるサービス品質（ＱｏＳ）を要求してもよい。たとえば、いくつかのＰＤＰアドレスは、長い応答時間を許容することができるイー・メールと結合してもよい。他のアプリケーションは遅延を許容することができず、非常に高レベルのスループットを要求する。インタラクティブアプリケーションがその一例である。これらの異なる要求条件はＱｏＳパラメータに反映される。ＱｏＳ値はＧＳＭ０２．６０に規定されている。ＱｏＳ要求条件がＰＬＭＮの能力を超えている場合には、ＰＬＭＮはＱｏＳを要求されたＱｏＳにできる限り近くなるように協定する。ＭＳは協定ＱｏＳを受理するか、またはＰＤＰコンテキストを復旧する。ＳＧＳＮがＧＧＳＮの更新に成功した後、ＭＳと結合されたＰＤＰコンテキストが、ＧＳＭ０３．６０のサブクローズ「情報記憶」（ｓｕｂｃｌａｕｓｅ  ”Ｉｎｆｏｒｍａｔｉｏｎ  Ｓｔｏｒａｇｅ”に示されているように分配される。
【００５０】
ＰＤＰコンテキスト起動手順が失敗した場合または、ＰＤＰコンテキスト起動受理原因パラメータが棄却を示す場合には、ＭＳは同じＰＤＰアドレスの起動を再試行してもよく、最大の試行回数まで行える。
【００５１】
すべてのＧＰＲＳ移動局は常に図６の手順を実行しなければならないが、変形されたＰＤＰコンテキスト起動手順の詳細を前記二つのＥＴＳＩ文書から得ることができる（これらのＥＴＳＩ文書は、移動通信に熟練した当業者には一般に知られている上記の説明のパラメータに対して使用される他の略語の説明もしている）。
（刊行された従来技術）
図１−６を参照して説明したように、従来のＧＳＭシステムでＧＰＲＳ設備を使用するデータパケット伝送では、移動無線電気通信網の第一の端末局はパケットデータ通信網に付加された第二の端末局とのパケットデータ通信をも行うことができる。請求項１、１１、２１、および３１の萌芽となる特徴を開示したＥＰ  ０７１１  ０８８  Ａ２では、ＧＳＭでのＧＰＲＳ設備の使用について更に詳細に説明されている。特に、ＧＳＭシステムの８個の物理ＴＤＭＡチャネルの一つがＧＰＲＳシステム専用のものであること、そして第一の端末局はＧＳＭに対してパケット無線を使用する際、ＧＳＭのＰＲＭＡチャネルを介してＧＰＲＳサービスとの接続を確立するということが説明されている。
【００５２】
（発明の概要）
上記のように、図１から４のＧＰＲＳ移動局ＭＳから（ＧＧＳＮに接続された）ＩＰまたはＸ．２５のようなパケットデータプロトコルをサポートするパケットデータ網へのパケットデータ伝送を可能とするために、図５、６を参照して説明したようにログオン手順またはＰＤＰコンテキスト起動手順を実行する必要がある。この起動手順を使用して、ＳＧＳＮのＰＤＰコンテキストとＧＧＳＮのＰＤＰコンテキストとの間にトンネルが作成される。
【００５３】
本質的にＰＤＰコンテキストは、特定のプロトコルを使用するパケット伝送のためにＳＧＳＮとＧＧＳＮとの間で同意されたパラメータのセットとみなすことができる。このパラメータのセットで従来使用されてきた代表的なパラメータはＭＳ−ＩＤ、ＱｏＳ、ＮＳＡＰＩ、ＴＥＰＩ、およびＰＤＰアドレスである。特に、ＩＭＳＩによって識別されるＧＰＲＳ加入者は、それに一時的、永久的の両方または一方で結合され、使用されるそれぞれの網のレイヤサービスの標準アドレシング方式、たとえば、
−  ＩＰバージョン４アドレス、
−  ＩＰバージョン６アドレス、または
−  Ｘ．１２１アドレス
に従う、一つ以上の網のレイヤアドレス、すなわちＰＤＰアドレスを一度そなえなければならない。
【００５４】
ＧＳＭ０３．６０文書のサブクローズ「ＰＤＰコンテキストの起動と復旧の機能」（ｓｕｂｃｌａｕｓｅ  ”ＰＤＰ  Ｃｏｎｔｅｘｔ  Ａｃｔｉｖａｔｉｏｎ  ａｎｄ  Ｄｅａｃｔｉｖａｔｉｏｎ  Ｆｕｎｃｔｉｏｎｓ”）に述べられているＭＭ手順により、ＰＤＰアドレスは起動、復旧される。
【００５５】
一旦、ＰＤＰコンテキストの起動によりトンネルが設定されると、図４の例１、２、３についてパケットデータ伝送が生じ得る。従来の回線交換ＰＬＭＮ環境の中に埋め込まれたパケット無線サービスを使用するどんな電気通信システムでも上記の設定手順を実行する必要があるということが理解されるはずである。
【００５６】
（図２、３とともに）図７に示されるように、できる限り多くの顧客を吸引するために、多数のインタネットサービスプロバイダＩＳＰをＧＰＲＳ網に（すなわち、ＧＰＲＳ網のＧＧＳＮに）接続する必要がある。図７で、ＧＰＲＳ網（または図３に示されるようなＧＰＲＳ網のＧＧＳＮノード）に接続されたＰＬＭＮ内バックボーン網さえもがインタネットサービスプロバイダＩＳＰとみなされる。相互接続の点でともにＧＧＳＮに接続されているので、技術的に差が無いからである。
【００５７】
前に説明したように、ＰＤＰコンテキスト起動手順に基づいて、現在のＧＰＲＳ規格（ＧＳＭ０３．６０）は既に、ＧＧＳＮノードを多数の内部網（ＩＳＰ）に相互接続することを可能にしている。一人の加入者はこのような網の一つまたは数個に（通常、ＨＬＲで）加入し得る。たとえば、自分の会社のインタネット（図７ではエリクソン（Ｅｒｉｃｓｓｏｎ）のエリネット（ＥＲＩＮＥＴ）のような法人網）またはパケットデータ網（図７ではＸ．２５ＰＤＮ）に加入し、そして一つ以上のインタネットサービスプロバイダ（図７では市内ＩＳＰ、ＩＳＰ１、ＩＳＰ２）に加入し得る。ログオン手順とＰＤＰコンテキスト起動手順の間に、ＳＧＳＮは特定の網に対するＰＤＰコンテキストをＧＧＳＮと協定する。しかし、サービス起動では、加入者局（すなわち、移動局）は自分のセッションを加入しているＩＰのどれに接続したいかをＧＰＲＳ網に柔軟に示すことはできない。
【００５８】
したがって、本発明の目的は
−  ＧＰＲＳ加入者がＧＰＲＳに接続された数個の外部網をより柔軟に使用できるようにする、方法、交換装置、電気通信システム、および端末局を提供することである。
【００５９】
この目的は、移動無線電気通信網の第一の端末局とパケットデータ通信網の第二の端末局との間のデータ通信のための方法であって、
ａ）前記第一の端末局から、複数のパケットデータ通信網が接続された前記移動無線電気通信網の交換装置（ｓｗｉｔｃｈｉｎｇ  ｄｅｖｉｃｅ）に、所定のパケットデータ通信網を表示する網表示パラメータを送るステップと、
ｂ）前記網表示パラメータによって表示されるパケットデータ通信網にアクセスする前記交換装置内のアクセス手段を選択するステップと、
ｃ）前記表示されたパケットデータ通信網の交換装置にアクセスするために前記の選択されたアクセス手段を起動するステップと
を含む方法によって解決される。
【００６０】
この目的は更に、移動無線電気通信網の第一の端末局と複数のパケットデータ通信網の中の一つのパケットデータ通信網の第二の端末局との間でデータ通信を行うための交換装置であって、
ａ）前記第一の端末局から所定のパケットデータ通信網を表示する網表示パラメータを受信するための受信手段と、
ｂ）前記の接続されたパケットデータ通信網の一つに各々アクセスする複数のアクセス手段と、
ｃ）前記の受信された網表示パラメータに従ってアクセス手段を選択するための選択手段と、
ｄ）前記の表示されたパケットデータ通信網の交換装置にアクセスするため前記の選択されたアクセス手段を起動するための制御手段と
を具備する交換装置によって解決される。
【００６１】
この目的は、第一と第二の端末局との間でパケットデータ通信を行うための電気通信システムであって、
ａ）前記第一の端末局が接続された少なくとも一つの移動無線通信網と、
ｂ）複数のパケットデータ通信網であって、その一つに前記第二の端末局が接続された、複数のパケットデータ通信網と、
を具備し、
ｃ）前記通信網は交換装置に接続され、交換装置は、
ｃ１）前記移動無線通信網を介して前記第一の端末局から所定のパケットデータ通信網を表示する網表示パラメータを受信するための受信手段と、
ｃ２）前記の接続されたパケットデータ通信網の一つに各々アクセスする複数のアクセス手段と、
ｃ３）前記の受信された網表示パラメータに従ってアクセス手段を選択するための選択手段と、
ｃ４）前記の表示されたパケットデータ通信網の交換装置にアクセスするため前記の選択されたアクセス手段を起動するための制御手段と
を具備する、システムによっても解決される。
【００６２】
この目的は更に、パケットデータ通信網の所定の端末局へパケットデータ通信を行うための移動無線電気通信網の端末局であって、
ａ）交換装置を通して前記移動無線電気通信網に接続されたパケットデータ通信網にそれぞれ対応する複数の網表示パラメータを記憶するための網表示パラメータメモリ手段と、
ｂ）前記端末局がパケットデータを送信／受信するべきパケットデータ通信網を表示する、前記メモリ手段からの網表示パラメータを選択するための選択手段と、
ｃ）前記網表示パラメータによって表示されるパケットデータ通信システムへの接続を要求するために前記の選択された網表示パラメータを前記交換装置へ送るための網要求手段と
を具備する端末局によって解決される。
【００６３】
本発明によれば、ＰＤＰコンテキスト起動手順の間に、所望の網を表示する網表示パラメータがＳＧＳＮへ転送される。網表示パラメータは、ＰＤＰコンテキスト起動手順でＰＤＰコンテキストに対して協定されたＰＤＰ型とすることができる。したがって、ＧＰＲＳ加入者局は従来、適切な網を協定するためにはＳＧＳＮに頼るしかなかったのに対して、本発明によればＰＤＰコンテキスト起動またはログオン手順の間に任意の所望の網を予め指定することができる。
【００６４】
本発明の更に有利な実施例と改善は従属請求項から得ることができる。以下、付図を参照して本発明の実施例を説明する。図で、同一または類似の参照符号は同一または類似の要素またはステップを表す。
【００６５】
（発明の原理）
図８は、本発明による電気通信システムの概観図である。図８は、図１から４、および特に図７に既に示されたすべての相互接続と装置を含んでいる。したがって、このような相互接続と装置に対して前に行ったすべての説明は図８の相互接続と装置にも同様に充分に当てはまる。
【００６６】
本発明の目的に対して、移動交換局／ビジター・ロケーション・レジスタＭＳＣ／ＶＬＲ、移動無線通信網ＰＬＭＮ（たとえば、図３のＰＬＭＮＡ、ＰＬＭＮＢ）のホーム・ロケーション・レジスタＨＬＲ／ＳＰ、およびアクセス手段としての役目を果たすサービスＧＰＲＳサポートノードＳＧＳＮとゲートウェイＧＰＲＳサポートノードＧＧＳＮ（ＧＧＳＮ１、ＧＧＳＮ２  ．．．）は、ＧＰＲＳシステムをサポートする移動無線通信網に対する汎用交換装置ＰＬＭＮ−ＳＷを構成する。やはり図１に示されているように、もちろんＧＰＲＳサポートノードＧＳＮは同じＰＬＭＮまたは別のＰＬＭＮに配置することができる。
【００６７】
図２および図７を参照して説明したように、各ＧＧＳＮはそれぞれのパケットデータ通信網、すなわち、インタネットＩＮ、法人網ＰＤＮ２（たとえば、ＥＲＩＮＥＴのようなイントラ網）、またはＸ．２５ＰＤＮ網ＰＤＮ１に接続されるために設けられている。各アクセス手段（すなわち、ＧＧＳＮ）間の相互接続は、それぞれのパケットデータ通信網ＰＤＮ１、ＰＤＮ２、ＩＮのそれぞれの交換装置ＰＤＮ−ＳＷへのトンネルまたはリンクを介して行われる。
【００６８】
図８に示すように、ＧＰＲＳをサポートするＰＬＭＮとインタネットＩＮとの間の接続は、各々がそれぞれの交換装置ＰＤＮ−ＳＷを含む複数のインタネットサービスプロバイダＩＳＰ１、ＩＳＰ２、ＩＳＰ３を介して行うことができる。したがって、本発明によれば、パケットデータ伝送をサポートする複数のパケットデータ通信網は交換装置ＰＬＭＮ−ＳＷ、特にアクセス手段ＧＧＳＮ／ＡＳを介してＧＰＲＳをサポートするＰＬＭＮに接続することができる。
【００６９】
複数のパケットデータ通信網のＧＰＲＳ加入者選択は、ＧＰＲＳをサポートし、多数のパケットデータ通信網（インタネットサービスプロバイダ／パケットデータ通信網）への接続をそなえた移動無線通信網に適用できる。図８に示すように、ＧＰＲＳをサポートするＰＬＭＮは、（たとえば、ＩＰトンネルＩＰ−ＴＵＮを使用する）インタネットＩＮを介して、または専用の接続Ｐ１、Ｐ２を介して多数のインタネットサービスプロバイダＩＳＰに接続される。
【００７０】
インタフェース、そして実際、相互接続されたパケットデータ通信網自体の技術的実現はパケットデータ伝送の必要性に関して、相互接続点で異なっているが、ＰＬＭＮの外部網がＩＰ（インタネットプロトコル）に基づくインタネットサービスプロバイダ（ＩＳＰ）またはＩＰに基づく法人網ＰＤＮ２またはＸ．２５に基づくパケットデータ網ＰＤＮ１であれば、相違は無い。たとえば、ＩＰに基づくパケットデータ通信網ＰＤＮ１に対する相互接続点（インタフェース）Ｇｉは、（交換装置ＰＬＭＮ−ＳＷのそれぞれのアクセス手段内の）ゲートウェイＧＰＲＳサポートノードＧＧＳＮの中のアクセスサーバＡＳである。したがって、図８でパケットデータプロトコルＰＤＰ、たとえば、ＩＰまたはＸ．２５をサポートする限り、どの種類のパケットデータ通信網もそれぞれのＧＧＳＮに相互接続することができる。
【００７１】
やはり図８に示されているように、インタネットサービスプロバイダＩＳＰ１、ＩＳＰ２、ＩＳＰ２さえもがそれ自体、それぞれの交換装置ＰＤＮ−ＳＷを含むパケットデータ通信網とみなしてもよい。複数の端末局ＰＴＥがそれぞれのパケットデータ通信網ＰＤＮ１、ＰＤＮ２、ＩＮに接続される。他方、既に図１、２に一般的に示されたように、ＧＰＲＳをサポートするＰＬＭＮの端末局ＧＰＲＳ−ＭＳは交換装置ＰＬＭＮ−ＳＷのＧＰＲＳサービスサポートノードＳＧＳＮと通信する。このような端末局ＧＰＲＳ−ＭＳは、ＧＰＲＳをサポートするＰＬＭＮの移動局、たとえば、クラスＡ、Ｂ、Ｃの移動局（図２参照）、またはＩＰに基づいてパケットデータ伝送をサポートする他の任意のユーザアプリケーションとすることができる。
【００７２】
図８はＧＰＲＳをサポートするＰＬＭＮを一つしか示していないが、ＳＧＳＮおよびＧＧＳＮをそなえた交換装置ＰＬＭＮ−ＳＷに類似した交換装置を各々が含む数個のＰＬＭＮ（ＰＬＭＮＡ、ＰＬＭＮＢ）も、他のイントラ網またはパケットデータ網または相互接続網と一緒に設けてもよいことは図３から理解されるはずである。したがって、図８の構成は、（各々がそれぞれの交換装置ＰＤＮ−ＳＷを含む）複数のパケットデータ通信網がＧＰＲＳをサポートするＰＬＭＮの交換装置ＰＬＭＮ−ＳＷに接続される図３に完全に類似しているとみなすべきである。イントラ網ＰＤＮ２または付加的なパケットデータ網ＰＤＮ１が設けられたとき、別々の接続Ｐ１、Ｐ２を介して通信リンクが設けられるが、インタネットサービスプロバイダＩＳＰへの相互接続はインタネットプロトコルトンネルＩＰ−ＴＵＮを介して行われる。
【００７３】
移動無線通信システムＰＬＭＮは好ましくは、汎用パケット無線サービス（ＧＰＲＳ）を含むＤ１網またはＤ２網のようなＧＳＭに基づく無線通信システム網であり、前記パケットデータ伝送システムＰＤＮ１、ＰＤＮ２、ＩＮは、会社インタネットＰＤＮ２、および／または、Ｘ．２５網ＰＤＮ１、および／または、インタネットプロトコルに基づく網ＩＮ、および／または、汎用パケット無線サービスＧＰＲＳに基づく網を含む。
【００７４】
（網表示パラメータＮＩＰ）
図８に示すように、移動無線電気通信網ＰＬＭＮの端末局ＧＰＲＳ−ＭＳは、交換装置ＰＬＭＮ−ＳＷを介して前記移動無線電気通信網に接続可能なパケットデータ通信網にそれぞれ対応する複数の網表示パラメータＮＩＰを記憶するための網表示パラメータメモリ手段ＮＩＰ−ＭＥＭを含む。
【００７５】
前記端末局がそれに／それからパケットデータを送信／受信することを希望するパケットデータ通信網を示すための前記端末局ＧＰＲＳ−ＭＳに、前記メモリ手段ＮＩＰ−ＭＥＭから網表示パラメータＮＩＰを選択するための選択手段ＳＥＬが設けられる。前記網表示パラメータＮＩＰによって示されるパケットデータ通信システムへの接続を要求するために、前記交換装置ＰＬＭＮ−ＳＷに前記の選択された網表示パラメータＮＩＰを送るために前記端末局ＧＰＲＳ−ＭＳの網要求手段ＮＲＭが設けられる。
【００７６】
図１から図４で既に説明した装置の他に、交換装置ＰＬＭＮ−ＳＷは、ＰＬＭＮの（第一の）端末局ＧＰＲＳ−ＭＳから所定のパケットデータ通信網を示す網表示パラメータＮＩＰを受信するための受信手段ＮＩＰ−ＲＣを含む。端末局ＧＰＲＳ−ＭＳと通信するＳＧＳＮは、前記の受信した網表示パラメータＮＩＰに従ってアクセス手段ＧＧＳＮ／ＡＳを選択するための選択手段ＳＥＬを含む。前に説明したように、各ＧＧＳＮは前記の接続されたパケットデータ通信網ＰＤＮ１、ＰＤＮ２、ＩＮの一つへアクセスするためのアクセス手段としての役目を果たす。各アクセス手段の中で、表示されたパケットデータ通信網の交換装置ＰＤＮ−ＳＷにアクセスするためにアクセス手段を起動するための、すなわち所望のパケットデータ通信網のそれぞれの（第二の）端末局ＰＴＥとの接続を確立するための制御手段ＡＣがある。
【００７７】
たとえば、ホーム・ロケーション・レジスタＨＬＲに設けられる加入メモリ手段（ｓｕｂｓｃｒｉｐｔｉｏｎ  ｍｅｍｏｒｙ  ｍｅａｎｓ）ＨＬＲは、前記パケットデータ通信網の所定の通信網への端末局ＧＰＲＳ−ＭＳの加入を示す加入パラメータＳＰを記憶する。ＳＧＳＮの中に設けられる加入チェック手段ＳＣＭは受信した網表示パラメータＮＩＰを前記加入メモリ手段ＨＬＲに記憶された前記加入パラメータＳＰと比較する。端末局ＧＰＲＳ−ＭＳからの前記の受信された網表示パラメータＮＩＰが前記加入メモリ手段ＨＬＲの加入パラメータＳＰの一つと一致したとき、制御手段ＡＣはそれぞれのパケットデータ通信網の所望の交換装置ＰＤＮ−ＳＷへのアクセスを行うための選択されたアクセス手段の起動だけを行う。
【００７８】
明らかに、それぞれの端末局がすべての可能なパケットデータ通信網へのアクセス権をそなえているとき、加入チェック手段ＳＣＭと加入メモリ手段ＨＬＲは必ずしも設ける必要はない。交換装置ＰＬＭＮ−ＳＷが常に、それぞれ送られる網表示パラメータによって示されるパケットデータ通信網を与えるからである。
【００７９】
（パケットデータ通信網の選択）
本発明による移動無線通信網ＰＬＭＮの（第一の）端末局ＧＰＲＳ−ＭＳとパケットデータ通信網ＰＤＮ１、ＰＤＮ２、ＩＮの（第二の）端末局ＰＴＥとの間のデータ通信方法が図９に示されている。
【００８０】
図９で、ＰＬＭＮ端末局（移動局ＧＰＲＳ−ＭＳまたは任意のエンドユーザアプリケーション）がメモリ手段ＮＩＰ−ＭＥＭから網表示パラメータＮＩＰを選択する。好ましくは、網表示パラメータＮＩＰは所望のパケットデータ通信網を表示するだけでなく、端末局がパケットデータ通信網の第二の端末局ＰＴＥと行おうとしているセッションの型をも表示する。たとえば、網表示パラメータＮＩＰはイントラ網（法人網）ＰＤＮ２、すなわちデルタ（ＤＥＬＴＡ）アクセスに対するＮＩＰ＝ＥＲＩＮＥＴを表示することができる。同様に、網表示パラメータＮＩＰはイー・メール・セッションに対するＡｏＬを表示することができる。このような網表示パラメータはすべて、後で説明するようにＰＤＰ型のパラメータを介して実現することができる（ＰＤＰ型コンテキストの詳細は前に説明してあり、またＥＴＳＩによるＧＳＭ０３．６０  ｐｒｏｐｏｓｅｄ  ｖｅｒｓｉｏｎ  ２．０．０  ｄｏｃｕｍｅｎｔを参照できる）。
【００８１】
所望の網表示パラメータ（と多分、通信の型）ＮＩＰが網表示パラメータメモリ手段ＮＩＰ−ＭＥＭから選択されたとき、網要求手段ＮＲＭはステップＳＴ１で交換手段ＰＬＭＮ−ＳＷに、好ましくはＳＧＳＮにＮＩＰを送る。第一の端末局ＧＰＲＳ−ＭＳがすべてのパケットデータ通信網に対して自動的にアクセス権をそなえていないものとして、ＳＧＳＮは表示された網、すなわち選択されたパケットデータ通信網に加入しているかチェックする。したがって、加入チェック手段ＳＣＭは受信した網表示パラメータＮＩＰを加入メモリ手段ＨＬＲに記憶された加入パラメータＳＰと比較する。
【００８２】
受信した網表示パラメータＮＩＰに合致する有効な加入パラメータＳＰが加入メモリ手段ＨＬＲに見出されなかった場合には、ステップＳＴ２で棄却表示を第一の端末局に送信することができる。ＰＤＰ型パラメータを使用する、このような棄却手順はたとえば、ＧＳＭ０３．６０  ｐｒｏｐｏｓｅｄ  ｖｅｒｓｉｏｎ  ２．０．０に説明されているようなＰＤＰ棄却手順を介して確立することができる。
【００８３】
端末局ＧＰＲＳ−ＭＳが網表示パラメータＮＩＰによって表示されるパケットデータ通信網に対する有効な加入をそなえている場合には、ステップＳＴ３で選択手段ＳＥＬは、所望のパケットデータ通信網が接続されている適切なＧＧＳＮを選択する。すなわち、ステップＳＴ３でＳＧＳＮは適切なＧＧＳＮに対するアドレスを選択する。選択されたＧＧＳＮの制御手段ＡＣ（アクセス手段）はパケットデータ通信網の所望の交換装置ＰＤＮ−ＳＷへの接続を形成するための適切なアクセスサーバＡＳを選択する。
【００８４】
ＧＧＳＮに含まれる適切なアクセスサーバが選択されて起動されると、ステップＳＴ４で、ＧＧＳＮは交換装置ＰＤＮ−ＳＷ（たとえば、インタネットサービスプロバイダＩＳＰ）への接続を確立する。たとえば、ＧＧＳＮはＩＳＰ１に向かうＲＡＤＩＵＳサーバを使用する。次に、ステップＳＴ５で、パケットデータ通信網のＩＳＰまたはそれぞれの交換装置ＰＤＮ−ＳＷは所望のパケット端末局ＰＴＥへの接続を確立する。ＰＬＭＮ端末局とＰＤＮ端末局ＰＴＥとの間の通信が行われる前に、ステップＳＴ６に示すようにアクノリッジメッセージを返送することができる。
【００８５】
所望のパケットデータ通信網を表示する特定のパラメータの選択と伝送を使用して、二つの端子ＧＰＲＳ−ＭＳ、ＰＴＥの間のパケットデータ通信に対してパケットデータ通信網ＰＤＮ１、ＰＤＮ２、ＩＮ（またはそれらのそれぞれのプロバイダＩＳＰ３、ＩＳＰ２、ＩＳＰ１）の任意の一つを選択することができる。したがって、加入局は、加入しているＩＰＳのどれにそのセッションを接続したいかをＧＰＲＳ網に表示することができるので、多数のＩＰＳをＧＰＲＳ−ＧＳＭ網に接続することができる。
【００８６】
理解されるように、どの種類の網表示パラメータＮＩＰを選択して、ＧＰＲＳをサポートするＰＬＭＮの交換装置ＰＬＭＮ−ＳＷに送ってもよい。好ましくは、端末局ＧＰＲＳ−ＭＳが特定のＩＳＰまたは特定のパケットデータ通信網を選択できるようにするために、既存の（すなわち、標準化され、同意された）パラメータ、すなわち前記の「ＰＤＰ型」パラメータ）パラメータをそのために使用することができる。ＰＤＰコンテキストとＰＤＰ型の使用がＧＳＭ０３．６０  ｐｒｏｐｏｓｅｄ  ｖｅｒｓｉｏｎ  ２．０．０に説明されている。
【００８７】
すなわち、本発明では、各網オペレータは、一つのＩＳＰを一つの「ＰＤＰ型」パラメータに写像することにより、特定の端末局ＧＰＲＳ−ＭＳがどのＩＳＰまたはパケットデータ通信網に接続することができるかを表示することができる。「ＰＤＰ型」パラメータの使用は６４，０００個までのＩＳＰ（すなわち、６４，０００個の異なる種類のパケットデータ通信網）を識別することができる。後で図１１を参照して更に説明するように、ＰＤＰコンテキスト起動手順（図６参照）の間に「ＰＤＰ型」パラメータを交換装置ＰＬＭＮ−ＳＷに伝えることができる。
【００８８】
（新しい加入要求の登録）
更に注意すべきことであるが、端末局ＧＰＲＳ−ＭＳが以前アクセス権をそなえていなかった、ＰＬＭＮ／ＧＰＲＳシステムによってサポートされる新しいパケットデータ通信網への加入（アクセス権パラメータ）を要求するためにＰＬＭＮの交換装置ＰＬＭＮ−ＳＷへ要求するための要求手段を含むことができるということである。端末局ＧＰＲＳ−ＭＳからこのようなアクセス権を受信するとき、ＳＧＳＮは加入メモリ手段ＨＬＲに表示された網へのアクセス権（加入）を登録するための登録ルーチンを行うことができる。次に、パケットデータ通信網の使用に対する課金は、表示されたパケットデータ通信網に対して責任を持つＳＧＳＮまたはＧＧＳＮを介して実行することができる。
【００８９】
代わりに、加入チェック手段ＳＣＭが、加入メモリ手段ＨＬＲに登録が見出されない網表示パラメータＮＩＰをＧＰＲＳ−ＭＳから受信するたびに、加入チェック手段ＳＣＭが図２のステップＳＴ２のように棄却手順を遂行できるだけでなく、加入チェック手段ＳＣＭは新しい加入パラメータを加入メモリ手段ＨＬＲに登録するための登録手順を実行するようにもできる。登録手順では、ＧＰＲＳ−ＭＳが網表示パラメータＮＩＰによって表示されるパケットデータ通信網に加入を希望しているか加入チェック手段は問い合わせ、そうである場合には、新しい登録が有効な加入パラメータとして加入メモリ手段ＨＬＲに記録される。登録手順の間に、他のサービスを実行してもよい。すなわち、表示されたパケットデータ通信網の網オペレータが新しい端末局ＧＰＲＳ−ＭＳに送信することを希望する特殊料金または他の情報を送信してもよい。この場合、パケットデータ通信網の交換装置ＰＤＮ−ＳＷからこの情報をＧＰＲＳ−ＭＳに送信するために、ＳＧＳＮとＧＧＳＮは既に通信を遂行してもよい。
【００９０】
上記の説明は一般に任意のパケットデータ通信網に当てはまるが、以後、インタネットサービスプロバイダＩＳＰ／パケットデータ網ＰＤＮの選択の特定の場合について本発明の実施例について説明する。ここで、網表示パラメータＮＩＰとしてＰＤＰ型パラメータが使用される。
【００９１】
（ＰＤＰ型パラメータを使用するＩＳＰ／ＰＤＮ選択）
図１０に示すように、ＧＰＲＳシステムを介して端末局ＧＰＲＳ−ＭＳをＩＳＰ（すなわち、それの各交換装置ＰＤＮ−ＳＷ）に接続するために、端末局ＧＰＲＳ／ＭＳ（またはホスト局）、交換装置ＰＬＭＮ−ＳＷ、およびＩＳＰ／ＰＤＮで、ある必要条件が満たされなければならない。
【００９２】
既に前に詳細に説明したように、ＧＰＲＳ／ＭＳホスト端末局はホーム・ロケーション・レジスタＨＬＲ（すなわち、加入パラメータメモリ手段）の中のＰＬＭＮ交換装置（オペレータ）によって提供される少なくとも一つのＰＤＰ型への有効な加入をそなえていなければならない。すなわち、加入局のＳＩＭカードがそれぞれのパケットデータ通信網に対して有効である必要がある。
【００９３】
インタネットプロトコル（ＩＰ）に基づくデータ通信網（ＩＳＰ）の場合、端末局（ＧＰＲＳ−ＭＳまたはホスト）はパケットデータ通信網（ＩＳＰ）によって提供されるＤＨＣＰ認証トークン（と好ましくは暗号化キー）も割り当てられなければならない。すなわち、ＨＬＲの中の有効な網表示パラメータ（ＳＰ）の他に、端末局ＧＰＲＳ−ＭＳは好ましくは、所望のパケットデータ通信網ＩＳＰ１（インタネットＩＮ）の交換装置ＰＤＮ−ＳＷにＤＨＣＰ認証トークン（と好ましくは暗号化キー）のような識別パラメータを送るための識別手段ＩＤを含む。これは、ＧＰＲＳ−ＭＳが所望の網のＤＨＣＰサーバ／ＲＡＤＩＵＳサーバ（ＤＨＣＰ＝動的ホスト構成プロトコル：Ｄｙｎａｍｉｃ  Ｈｏｓｔ  Ｃｏｎｆｉｇｕｒａｔｉｏｎ  Ｐｒｏｔｏｃｏｌ）への適切な通信プロトコルを設定することができる。
【００９４】
交換装置ＰＤＮ−ＳＷの中の識別確認（ｖａｌｉｄａｔｉｏｎ）手段ＩＤ−ＶＡＬが受信された識別パラメータと前記交換手段ＰＤＮ−ＳＷの中に設けられた識別メモリ手段ＩＤ−ＭＥＭに記憶された複数の識別パラメータの一つとの合致を判定したときだけ、通信リンク設定手段ＴＵＮ−ＬＫが通信リンク（または通信トンネルＩＰ−ＴＵＮ）を設定する。
【００９５】
ＧＰＲＳ−ＭＳホストは（所望のパケットデータ網の交換装置ＰＤＮ−ＳＷのＤＨＣＰサーバの）ＤＨＣＰ認証トークンと好ましくはＤＨＣＰサーバアイデンティティ、およびＰＤＰ型と所望のＩＳＰとの間の関係を記憶したが、キーの分析のためにＤＨＣＰサーバ／ＲＡＤＩＵＳサーバ（それぞれのパケットデータ網のアクセス手段）で対応する情報が入手できる。したがって、図１０に示すように、ＰＤＮ−ＳＷはＤＨＣＰユーザ識別とＤＨＣＰ認証トークンをも含む。
【００９６】
好ましくは、ＩＰに基づくパケットデータ通信網ＩＳＰの場合、交換装置ＰＤＮ−ＳＷのそれぞれのアクセス手段（ＤＨＣＰサーバ）は、移動局／ホスト（端末局）識別オプションとして国際移動局アイデンティティ（ＩＭＳＩ）で更新されることができる。すなわち、端末局が（クラスＡ、Ｂ、Ｃの移動局のような）ＧＰＲＳをサポートする移動局である場合には、パケットデータ網交換装置ＰＤＮ−ＳＷのアクセスサーバ（ＤＨＣＰサーバ）は常に現在の国際移動局アイデンティティを受信する。
【００９７】
ＰＬＭＮの交換装置ＰＬＭＮ−ＳＷは、多分、（インタネットプロトコルに基づくＩＳＰだけのための）ＲＡＤＩＵＳ情報に対するＩＳＰのファイアウォール（ｆｉｒｅｗａｌｌ）を介して、ＩＳＰに通信リンクまたはトンネルを設定する必要がある。通信リンク設定手段ＴＵＮ−ＬＫによるＩＰトンネルの形成は、トンネル管理メッセージの交換、すなわち、ＥＴＳＩによるｄｒａｆｔ  ＴＳ１００９６０  ｐｒｏｐｏｓｅｄ  Ｖ１．１．０に述べられているようなＰＤＰコンテキスト手順を介して遂行される。
【００９８】
ＧＰＲＳ−ＭＳ／ホストとアクセス手段（ＩＳＰのＤＨＣＰサーバ）との間のＩＰトンネル（経路）のすべての交換ユニットとルーティング装置は、（ＩＰに基づくＩＳＰだけのための）ＤＨＣＰ放送メッセージを転送するためにＩＰマルチキャストをサポートしなければならない。
【００９９】
すなわち、機能１から５は一方では、通信リンクを介して、どのパケットデータ通信システム（ＩＳＰ）をＧＰＲＳ−ＭＳに接続すべきか決定し、他方では識別パラメータ（ＤＨＣＰ−ｉｄ、ＩＳＰ−ｉｄ、およびＤＨＣＰ認証トークン）が交換装置ＰＤＮ−ＳＷ（ＤＨＣＰサーバ）によって提供される識別パラメータと合致した場合、ホストとともにプロトコルを動的に構成することを許容する。
【０１００】
したがって、図１０に示すように、ＧＰＲＳ−ＭＳホストはＤＨＣＰ認証トークンと好ましくはＤＨＣＰサーバアイデンティティ、および所望のＩＳＰとＰＤＰ型パラメータとの間の関係を与えなければならない。ＨＬＲはＩＭＳＩ−ＰＤＰ型パラメータとＧＧＳＮ／ＡＳ／（ＩＳＰ）−ｉｄのマッピング（写像）、すなわち所望のパケットデータ網に対応する適切なＧＧＳＮとアクセスサーバＡＳの選択を与えなければならない。ＧＧＳＮはＩＭＳＩ／ＰＤＰ型パラメータのアクセスサーバＡＳ／ＩＳＰデータへのマッピングを与えなければならない。最後に、ＤＨＣＰサーバは同様にＤＨＣＰクライアントアイデンティティとＤＨＣＰ認証トークンとを記憶することにより、ＧＰＲＳ／ＭＳ／ホストと選択された交換装置ＰＤＮ−ＳＷとの相互認識とそれらの間の通信のための適切に構成されたプロトコルの設定を可能にすべきである。
【０１０１】
（ＰＤＰ型コンテキスト起動を使用するアクセスサーバの選択）
ＩＳＰ／ＰＤＮへの従来の回線交換アクセスとＳＧＳＮでのＰＤＰコンテキスト起動のＰＤＰ型パラメータに基づくアクセスサーバの選択との相違は図１１により特に明らかとなる。
【０１０２】
まず、ＩＳＰ／ＰＤＮへの従来の回線交換アクセスでは既に、端末局は被呼者番号により従来通り所望のＩＳＰ（インタネットサービスプロバイダ）とアクセスサーバとを選択することができる。異なるＩＳＰは単に異なるアクセス番号をそなえているので、ＣＯＭＰＵＳＥＲＶＥ、Ｔ−ＯＮＬＩＮＥ等のような異なるアクセスサーバは、単に適切な番号をダイヤルするだけで端末局が選択することができる。回線交換ＧＳＭインタネットアクセス機能でも、適切なアクセスサーバの選択は適切な被呼者番号（ＣＰＮ：ｃａｌｌｅｄ  ｐａｒｔｙ  ｎｕｍｂｅｒ）の送出を介して行われる。
【０１０３】
本発明によれば、ＰＬＭＮ−ＳＷの中のアクセスサーバ（すなわち、ＧＧＳＮの中の適切なアクセスサーバ）の選択は、既に図９で大まかに説明したように、ＳＧＳＮでのＰＤＰコンテキスト起動のＰＤＰ型パラメータに基づく。図１１は前記ＧＳＭ  ＴＳ１００９６０  ｐｒｏｐｏｓｅｄ  １．１．０およびＧＳＭ  ０３．６０  ｐｒｏｐｏｓｅｄ  ｖｅｒｓｉｏｎ  ２．０．０から知られている図６に示された従来のＰＤＰコンテキスト起動手順の延長とみなすことができる。したがって、図１１の手順は図６の一般的なＰＤＰコンテキスト起動手順の背景で見るべきである。
【０１０４】
ステップＳ１１で、第一の端末局（ホスト／ＧＰＲＳ−ＭＳ）からサービスＧＰＲＳサポートノードＳＧＳＮへＰＤＰコンテキスト起動要求メッセージが送られる。ステップＳ１１は図６のステップＳ１に対応するが、図１１に示すように、異なるパラメータリストを含む。図６のステップＳ１のＰＤＰコンテキスト要求で既に従来必要とされている他のパラメータに加えて、図１１のステップＳ１１のＰＤＰコンテキスト要求メッセージは網表示パラメータＮＩＰ、すなわち”ＰＤＰ−ｔｙｐｅ（＜−＞ＡＳ）”パラメータを含む。端末局ＧＰＲＳ−ＭＳの選択手段ＳＥＬは網表示メモリＮＲＭから選択された網表示を括弧＜−＞の中に挿入する。したがって、＜−＞は”Ｘ．２５  ＰＤＮ，  ＥＲＩＮＥＴ，  ＩＳＰ１，  ＩＳＰ２，  ＩＳＰ３”を表示し、網識別パラメータ全体、たとえばＰＤＰ−ｔｙｐｅ（Ｘ．２５  ＡＳ）はこのときＸ．２５  ＰＤＮ網の要求、または更に詳しくはＸ．２５網のアクセスサーバＡＳの要求を表示する。好ましくは、ＰＤＰコンテキスト要求は通常のパラメータＭＳ−ＩＤ（移動局アイデンティティ）、ＱｏＳ（要求されたサービス品質）、およびＮＳＡＰＩ（網レイヤサービスアクセスポイント識別子）を含む。ステップＳ１２は図６のステップＳ２に対応する。
【０１０５】
ステップＳ１１’で、ＳＧＳＮは所望のパケットデータ網にサービスするＧＧＳＮの適切なＧＧＳＮアドレスを得る（たとえば、図２参照）。もちろん、ステップＳ１１’を進める前に、ＳＧＳＮはＮＩＰをＨＬＲの加入と照合する。ステップＳ１１’でＳＧＳＮがＧＧＳＮアドレスを推論する仕方に二つの可能性がある。記憶されたＧＧＳＮアドレスを使用するか、または必要とされるＰＤＰ型（とＡＳ）から得られるＧＧＳＮアドレスが使用される。ステップＳ１１’の後、ＳＧＳＮはステップＳ３１でＰＤＰコンテキスト作成要求をどのＧＧＳＮに送らなければならないかを知る。
【０１０６】
ＭＳ−ＩＤの従来のパラメータと協定ＱｏＳ（第一の端末局とＳＧＳＮとの間で同意された協定サービス品質）の他に、本発明のＰＤＰコンテキスト作成要求はパラメータ”ＴＥＰＩ  ＰＤＰ−ｔｙｐｅ（＜−＞ＡＳ）”を含む。これは今は端末局ＴＥ（ＧＰＲＳ−ＭＳ）のアクセスポイントの識別を表示する端末ポイント識別子ＴＥＰ１を含む。
【０１０７】
ステップＳ３１’で、ＰＤＰコンテキスト要求メッセージを受信したＧＧＳＮはＰＤＰ型をアクセスサーバＡＳアイデンティティにマッピングする。すなわち、たとえばＧＧＳＮは、Ｘ．２５ＰＤＮ専用のアクセスサーバＡＳはＰＤＰ型パラメータの内容により起動する必要があるということを知る。ＧＧＳＮは、ＧＰＲＳをサポートするＰＬＭＮの最後の接続ポイントであるので、第二の端末局（ＩＳＰ／ＰＤＮ交換装置ＰＤＮ−ＳＷとそれの接続された端末局ＰＴＥ）への接続を設定する。したがって、ステップＳ３１’で、ＧＧＳＮに設けられた通信リンク設定手段により経路またはＩＰトンネルを形成するために、ＧＰＲＳトンネルプロトコルＧＴＰが確立される（図１０のＩＰトンネル参照）。ステップＳ３１’の終わりに、ＰＤＰコンテキストが起動される。
【０１０８】
したがって、ステップＳ３１’’で、ＰＤＰコンテキスト作成応答がＧＧＳＮからＳＧＳＮに送られる。ＰＤＰコンテキスト作成応答はこのとき、ステップＳ３１のパラメータの他に、端末局ＰＴＥのＢＢプロトコルとＴＥＰ１を含む。ステップＳ３１’’’で、ＧＰＲＳトンネルプロトコルＧＴＰが確立され、論理リンク制御ＬＬＣがＡＢＭモードに設定され、ＰＤＰコンテキストが起動される。
【０１０９】
ステップＳ４１で、ＰＤＰコンテキスト起動受理メッセージがＳＧＳＮから第一の端末局に転送される。ステップＳ１１でどの第一の端末局がＰＤＰコンテキスト起動受理メッセージを送ったかＳＧＳＮを知っているので、ステップＳ４１のＰＤＰコンテキスト起動受理メッセージはＴＥＰＩ情報を含まない。これはＭＳ−ＩＤ、要求されたＱｏＳ、協定ＱｏＳ、および網識別パラメータＰＤＰ−ｔｙｐｅ（＜−＞）を含む。
【０１１０】
ステップＳ４１の後の状況はＰＬＭＮ端末局での図９のステップＳＴ６のアクノリッジメッセージに対応する。図９を参照して前に説明したように、ステップＳ４１の後に、ベアラサービスが設定される。所望のパケットデータ網またはインタネットサービスプロバイダが選択され、プロトコルと適切なサーバが選択されたからである。ステップＳ４１’で、論理リンク制御ＬＬＣがＡＢＭモードに設定される。ホスト／ＧＰＲＳ−ＭＳはＩＰアドレスをそなえていないが、ホスト／ＧＰＲＳ−ＭＳと選択されたアクセスサーバＡＳとの間にインタネットプロトコル（ＩＰ）ベアラが設定される。このとき、ＧＰＲＳ−ＭＳ／ホストからＧＰＲＳベアラを介してＧＧＳＮの中の所望のアクセスサーバＡＳにＤＨＣＰのＩＰパケットを送ることができる。これはパケットデータ網またはインタネットサービスプロバイダの適切な交換装置ＰＤＮ−ＳＷにパケットを中継する。
【０１１１】
注意すべきことは、もちろん図１１のＰＤＰコンテキスト起動手順はインタネットサービスプロバイダへのＩＰトンネルの設定とともに、（図４、８、１０に示すように）一般に通信リンクＰ１、Ｐ２、Ｐ３の設定に適用されるということである。
【０１１２】
（ＰＤＰ型パラメータの実施例）
図１２に示すように、好ましくはＰＤＰ型パラメータは１６ビットのパラメータであり、その解釈は次の通りである。
０                      ＩＰ、デフォルト・インターワーキング網（たとえば、図３、図４に示されるＰＬＭＮ間バックボーン網）
１                      Ｘ．２５、デフォルト・インターワーキング網
２−９９                プロトコルのこのバージョンによって「ＩＰ、デフォルト・インターワーキング網」と解釈されるための予備
１００−１２０００      ＰＬＭＮ特有のインターワーキング網
１２００１−６４ｋ      将来の使用のための予備
【０１１３】
もちろん、１６ビットのＰＤＰパラメータの他の解釈を行うことができ、上記の定義は本発明の好適実施例にだけ適用される。ＰＤＰ型パラメータは１６ビットと異なる長さをそなえることもできる。図１２Ａでは、Ｘ．２５デフォルトインターワーキング網がＰＤＰ型パラメータで指定されている。
【０１１４】
（ＩＳＰ（インタネットサービスプロバイダ）の選択）
上記のように、回線交換アクセスの正規の場合は、ＩＳＰ（インタネットサービスプロバイダ）の選択がアクセスサーバによって行われ、識別パラメータとしてＤＨＣＰ認証と一緒に受信されたユーザアイデンティティ（ｕｓｅｒ−ｉｄ）に基づく。したがって、識別パラメータはＩＳＰのドメイン名を表示する。たとえば、ＤＨＣＰ認証は従来通り、たとえば、ｗｗｗ．ｅｒｉｃｓｓｏｎ．ｓｅとしてもよい。このようなＤＨＣＰ認証の後の部分はＩＳＰのドメイン名、ここでは”ｅｒｉｃｓｓｏｎ．ｓｅ”を表示する。従来通り、アクセスサーバＡＳはそのＲＡＤＩＵＳ構成をそなえたＩＳＰドメイン名をチェックすることにより、ＩＳＰトンネル（すなわち、通信リンク）を決める。
【０１１５】
図１１を参照して説明したように、本発明によれば、ＧＰＲＳ環境でのＩＳＰの選択は異なる仕方で行われる。やはり図１２に示されるように、「ＰＬＭＮ特有のインターワーキング網」の場合、網表示パラメータ、すなわちＰＤＰ型パラメータは好ましくは二つのサブフィールドで構成されるものと解釈される。
【０１１６】
第一の識別（又は表示）フィールドＮＰＩ−１は「アクセスサーバアイデンティティ」を含み、第二の識別フィールドＮＰＩ−２は「インタネットサービスプロバイダアイデンティティ」を含む。
【０１１７】
上記のように、特殊加入パラメータ（データ）が加入パラメータメモリＨＬＲに記憶される。したがって、本発明のもう一つの実施例によれば、特定のＧＰＲＳ−ＭＳに対するアクセス可能性は可能なＩＳＰのサブ番号にだけ限定することができる。好ましくは、会社のローカルエリアネットワーク（ＬＡＮ）に対する閉じたユーザグループを限定するために、交換装置ＰＬＭＮ−ＳＷによってＨＬＲ加入データが設定される。これにより、会社ＬＡＮにアクセスする外部端末局のアクセスが限定される。すなわち、その特定の会社のパケットデータ網のＲＡＤＩＵＳサーバに対する重い負荷が避けられる。
【０１１８】
各ＰＬＭＮ交換装置（オペレータ）はどのＰＤＰ型パラメータがどのインタネットサービスプロバイダＩＳＰを表すかを定義する。たとえば（図１２ａ参照）、”１００＝ＡｏＬ”、”１０１＝ＣＯＭＰＵＳＥＲＶＥ”、”１０２＝ＥＲＩＮＥＴ”、”１０３＝Ｔ−ＯＮＬＩＮＥ”等。
【０１１９】
したがって、ＰＤＰ型パラメータは所望のアクセスサーバに対して同じ表示またはアイデンティティを含むが、所望のパケットデータ通信網へ結果的に接続されるのは、ＩＳＰアイデンティティがＨＬＲ加入データに含まれているものと合致するときだけである。したがって、ＰＤＰ型パラメータの二つの別個のフィールドを使用することにより、端末局の二段グルーピングを行うことができる。
【０１２０】
上記のように既存の（すなわち、標準化され、確立された）パラメータ、すなわちＰＤＰ型パラメータの使用により、ＧＰＲＳをサポートするＰＬＭＮの端末局は特定のＩＳＰを選択することができる。各網オペレータは一つのＩＳＰを一つの「ＰＤＰ型パラメータ」に写像することができるので、端末局がどのＩＳＰに接続できるかを表示することができる。１６ビットのＰＤＰ型パラメータを使用して、６４０００個までのＩＳＰに接続することができる。したがって、多数のＩＳＰ（インタネットサービスプロバイダ）をＧＰＲＳ網に接続して、ＧＰＲＳ網に対してインタネットサービスプロバイダをより柔軟に使用することができる。
【０１２１】
（数個の網を並列に使用するための変形されたＰＤＰパラメータ）
本発明のもう一つの実施例によれば、ＰＤＰ型パラメータを変形して、端末局ＧＰＲＳは同時に二つ以上のパケットデータ通信網ＰＤＮ１、ＰＤＮ２に対するアクセスを要求できる。この場合、ＰＤＰ型パラメータは二つのエントリを含み、各エントリは図１１に規定されている。次に、ＳＧＳＮは二つ以上の適切なＧＧＳＮを選択し、二つの通信リンクが同時に設定される。したがって、ＧＰＲＳシステムをサポートするＰＬＭＮのパケットの性質により、端末局ＧＰＲＳ−ＭＳは特定の二段階のＰＤＰ型パラメータの送信により要求された、二つの別々のパケットデータ通信網の二つの端末局ＰＴＥと同時に通信することができる。
【０１２２】
（産業上の利用可能性）
上記のように、本発明による方法、交換装置、電気通信システム、および端末局により、ＧＰＲＳ機能をサポートするＰＬＭＮ網のユーザは所望の任意のパケットデータ網までリンクする、すなわち多数の異なるインタネットサービスプロバイダ、法人網等を使用することができる。本発明はパケット無線サービスの機能をサポートする任意のＰＬＭＮシステムに適用することができるので、現在のＥＴＳＩ規格によるＧＰＲＳをサポートするＧＳＭシステムでの使用に特に限定されない。
【０１２３】
更に、本発明はここに説明した特定の好適実施例に限定されず、熟練した当業者は請求項の範囲内で本発明の変形と変更を行うことができる。これらの請求項で、参照記号は明確にするためのもので、これらの請求項の範囲を制限するものではない。
【図面の簡単な説明】
【図１】  汎用パケット無線サービス（Ｇｅｎｅｒａｌ  Ｐａｃｋｅｔ  Ｒａｄｉｏ  Ｓｅｒｖｉｃｅ）ＧＰＲＳの基本的概念を示す図である。
【図２】  図１のＧＰＲＳシステムのノードと網の基本的相互接続を示す図である。
【図３】  図１、２のＧＰＲＳシステムのノードに接続されたＰＬＭＮ内バックボーン網とＰＬＭＮ間バックボーン網の相互接続を示す図である。
【図４】  移動局が送信を要求するとき（Ｐ１）、ホストが送信を要求するとき（Ｐ２）、そして移動局がもう一つのＧＰＲＳオペレータの網にローミングしたとき（Ｐ３）の、ＧＰＲＳ移動局とホストとの間のパケット伝送の可能性を示す図である。
【図５】  図１から４に示されるＧＰＲＳシステムのゲートウェイＧＳＮに対するＧＰＲＳ移動局の代表的なログオン手順を示す図である。
【図６】  ＧＰＲＳ移動局ＭＳとパケットデータ網との間にトンネルを確立するためのＰＤＰコンテキストパラメータテーブルを確立するための従来のＰＤＰコンテキスト起動手順を示す図である。
【図７】  ＧＰＲＳシステムに接続された数個の網（インタネットサービスプロバイダ、法人網、およびＸ．２５ＰＤＮ）の外観図である。
【図８】  本発明による電気通信システム、交換装置ＰＬＭＮ−ＳＷ、および端末局ＧＰＲＳ−ＭＳのブロック図である。
【図９】  ＰＬＭＮ端末局から送られた網表示パラメータＮＩＰにしたがってパケットデータ通信網を選択するための本発明による方法を示す図である。
【図１０】  ＰＤＰ型パラメータを使用してＧＰＲＳ−ＭＳ／ホスト局とインタネットサービスプロバイダＩＳＰのＤＨＣＰサーバとの間にＩＰ通信トンネルを設定するための網表示パラメータと識別パラメータのマッピングを示す図である。
【図１１】  特定のパケットデータ通信網を選択するためのＰＤＰ型パラメータを使用するＰＤＰコンテキスト起動手順を示す図である。
【図１２】  網表示パラメータＮＰＩの一実施例を示す図である。
【図１】
0004230106.tif 000002
【図２】
0004230106.tif 000003
【図３】
0004230106.tif 000004
【図４】
0004230106.tif 000005
【図５】
0004230106.tif 000006
【図６】
0004230106.tif 000007
【図７】
0004230106.tif 000008
【図８】
0004230106.tif 000009
【図９】
0004230106.tif 000010
【図１０】
0004230106.tif 000011
【図１１】
0004230106.tif 000012
【図１２】
0004230106.tif 000013